【事件の表示】
　特許第３２９７６７１号「体温管理方法及び装置、記憶媒体、体温管理システム」の請求項１、３ないし５、８ないし１０、１２ないし１４、１７ないし１９、２１ないし２３、２６、２７に係る特許に対する特許異議の申立てについて、次のとおり決定する。
【結　論】
　訂正を認める。
　特許第３２９７６７１号の請求項１、３、８、９、１０、１２、１７、１８、１９、２３、２６、２７に係る特許を取り消す。
　同請求項４、５、１３、１４、２１、２２に係る特許を維持する。
【理　由】
１．手続の経緯
　特許第３２９７６７１号の請求項１ないし２７に係る発明についての出願は、平成１２年６月１３日に特許出願され、平成１４年４月１２日にその発明について特許権の設定登録がされ、その後、その特許について、異議申立人大槻愛子により特許異議の申立てがなされ、平成１５年５月１４日付けで取消理由が通知され、その指定期間内である同年７月２９日に訂正請求がなされたものの、平成１６年３月３０日付けで取消理由が通知され、その指定期間内である同年５月２１日に上記訂正請求が取り下げられるとともに新たに訂正請求がなされたものである。
　
２．訂正の適否についての判断
（１）訂正の内容
　上記平成１６年５月２１日にされた訂正請求において、特許権者が求めている訂正の内容は以下の訂正事項を含むものである。　
　
　ア．訂正事項ａ
　　特許請求の範囲の請求項１に係る記載
　「【請求項１】体温データの分析を指示する指示工程と、該指示工程により分析の指示がなされた場合、体温データを取得する体温データ取得工程と、前記取得工程より取得した前記体温データを記憶する体温データ記憶工程と、前記記憶工程で記憶した前記体温データをもとに体温データを分析する体温データ分析工程と、前記分析工程より分析された分析データを外部へ送信する分析データ送信工程と、を有することを特徴とする体温管理方法。」を、
　『【請求項１】体温データの分析を指示する指示工程と、該指示工程により分析の指示がなされた場合、
暗号化された
暗号化された
前記暗号化された体温データを複製する複製工程と、
暗号化された体温データを復号し、復号された
前記送信工程で分析データを送信後、前記分析データを削除する削除工程と
　
　イ．訂正事項ｂ
　　特許請求の範囲の請求項４に係る記載
　「【請求項４】前記体温データ取得工程により取得されたデータは暗号化されたデータであることを特徴とする請求項１または２に記載の体温管理方法。」を、
　『【請求項４】前記体温データ取得工程により取得されたデータは暗号化されたデータであることを特徴とする請求項２に記載の体温管理方法。』と訂正する。
　
　ウ．訂正事項ｃ
　　特許請求の範囲の請求項５に係る記載
　「【請求項５】前記体温データ分析工程は、前記体温データを復号する復号工程を更に有することを特徴とする請求項１または２に記載の体温管理方法。」を、
　『【請求項５】前記体温データ分析工程は、前記体温データを復号する復号工程を更に有することを特徴とする請求項２に記載の体温管理方法。』と訂正する。
　
　エ．訂正事項ｄ
　　特許請求の範囲の請求項９に係る記載
　「【請求項９】体温データの分析を指示する指示手段と、該指示手段により分析の指示がなされた場合、体温データを取得する体温データ取得手段と、前記取得手段より取得した前記体温データを記憶する体温データ記憶手段と、前記記憶手段に記憶した前記体温データをもとに体温データを分析する体温データ分析手段と、前記分析手段より分析された分析データを外部へ送信する分析データ送信手段と、を有することを特徴とする体温管理装置。」を、
　『【請求項９】体温データの分析を指示する指示手段と、該指示手段により分析の指示がなされた場合、
暗号化された
暗号化された
前記暗号化された体温データを複製する複製手段と、前記記憶手段に記憶した前記暗号化された体温データを復号し、復号された
前記送信手段で分析データを送信後、前記分析データを削除する削除手段と
　
　オ．訂正事項ｅ
　　特許請求の範囲の請求項１０に係る記載　
　「【請求項１０】体温データを取得する体温データ取得手段と、前記取得手段より取得した前記体温データを記憶する体温データ記憶手段と、前記記憶手段に記憶した前記体温データをもとに体温データを分析する体温データ分析手段と、前記分析手段より分析された分析データを外部へ送信する分析データ送信手段と、前記分析データ送信手段により送信される分析データの送信先として、予め設定されている送信先以外に、更に任意に送信先を設定する送信先設定手段と有することを特徴とする体温管理装置。」を、
　『【請求項１０】
暗号化された
暗号化された
暗号化された体温データを複製する複製手段と、前記記憶手段に記憶した前記暗号化された体温データを復号し、復号された
前記送信手段で分析データを送信後、前記分析データを削除する削除手段と、
　
　カ．訂正事項ｆ
　　特許請求の範囲の請求項１３に係る記載　
　「【請求項１３】前記体温データ取得手段により取得されたデータは暗号化されたデータであることを特徴とする請求項９乃至１１の何れかに記載の体温管理装置。」を、
　『【請求項１３】前記体温データ取得手段により取得されたデータは暗号化されたデータであることを特徴とする請求項１１に記載の体温管理装置。』と訂正する。
　
　キ．訂正事項ｇ
　　特許請求の範囲の請求項１４に係る記載　
　「【請求項１４】前記体温データ分析手段は、前記体温データを復号する復号手段を更に有することを特徴とする請求項９乃至１１の何れかに記載の体温管理装置。」を、
　『【請求項１４】前記体温データ分析手段は、前記体温データを復号する復号手段を更に有することを特徴とする請求項１１に記載の体温管理装置。』と訂正する。
　
　ク．訂正事項ｈ
　　特許請求の範囲の請求項１８に係る記載　
　「【請求項１８】体温データの分析を指示する指示工程のプログラムコードと、該指示工程により分析の指示がなされた場合、体温データを取得する体温データ取得工程のプログラムコードと、前記取得工程より取得した前記体温データを記憶する体温データ記憶工程のプログラムコードと、前記記憶工程で記憶した前記体温データをもとに体温データを分析する体温データ分析工程のプログラムコードと、前記分析工程より分析された分析データを外部へ送信する分析データ送信工程のプログラムコードと、を有することを特徴とする記憶媒体。」を、
　『【請求項１８】体温データの分析を指示する指示工程のプログラムコードと、該指示工程により分析の指示がなされた場合、
暗号化された
暗号化された
前記暗号化された体温データを複製する複製工程のプログラムコードと、
暗号化された体温データを復号し、復号された
前記送信工程で分析データを送信後、前記分析データを削除する削除工程のプログラムコードと
　
　ケ．訂正事項ｉ
　　特許請求の範囲の請求項１９に係る記載　
　「【請求項１９】体温データを取得する体温データ取得工程のプログラムコードと、前記取得工程より取得した前記体温データを記憶する体温データ記憶工程のプログラムコードと、前記記憶工程で記憶した前記体温データをもとに体温データを分析する体温データ分析工程のプログラムコードと、前記分析工程より分析された分析データを外部へ送信する分析データ送信工程のプログラムコードとを有し、前記分析データ送信工程により送信される分析データの送信先として、予め設定されている送信先以外に、更に任意に送信先を設定する送信先設定工程のプログラムコードを更に有することを特徴とする記憶媒体。」を、
　『【請求項１９】
暗号化された
暗号化された
前記暗号化された体温データを複製する複製工程のプログラムコードと、
暗号化された体温データを復号して、復号された
前記送信工程で分析データを送信後、前記分析データを削除する削除工程のプログラムコードと
　
　コ．訂正事項ｊ
　　特許請求の範囲の請求項２１に係る記載　
　「【請求項２１】前記体温データ取得工程により取得されたデータは暗号化されたデータであることを特徴とする請求項１８乃至２０の何れかに記載の記憶媒体。」を、
　『【請求項２１】前記体温データ取得工程により取得されたデータは暗号化されたデータであることを特徴とする請求項２０に記載の記憶媒体。』と訂正する。
　
　サ．訂正事項ｋ
　　特許請求の範囲の請求項２２に係る記載　
　「【請求項２２】前記体温データ分析工程は、前記体温データを復号する復号工程を更に有することを特徴とする請求項１８乃至２０の何れかに記載の記憶媒体。」を、
　『【請求項２２】前記体温データ分析工程は、前記体温データを復号する復号工程を更に有することを特徴とする請求項２０に記載の記憶媒体。』と訂正する。
　
　シ．訂正事項ｌ
　　特許請求の範囲の請求項２６に係る記載
　「【請求項２６】ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記送信手段によって送信された体温データを受信する受信手段と、前記受信手段によって受信された体温データを送信する第２の送信手段を有し、前記サーバは、前記第２の送信手段によって送信された前記体温データを受信する体温受信手段と、所定の時間になったかどうかを判断する判断手段と、前記判断手段で、所定の時間になったことが判断された場合、前記体温データ分析手段により前記体温データをもとに体温データを分析する前記受信手段によって受信した前記体温データを分析する分析手段と、前記分析手段により分析された分析結果を外部に送信する分析結果送信手段とを有することを特徴とする体温管理システム。」を、
　『【請求項２６】ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記送信手段によって送信された体温データを受信する受信手段と、前記受信手段によって受信された体温データ
を暗号化する暗号化手段と、前記暗号化手段によって暗号化された体温データ
暗号化された
時刻
時刻
暗号化された体温データを複製する複製手段と、前記暗号化された体温データを復号し、復号された
前記分析結果送信手段で分析データを送信後、前記分析データを削除する削除手段と
　
　ス．訂正事項ｍ
　　特許請求の範囲の請求項２７に係る記載
　「【請求項２７】ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記送信手段によって送信された体温データを受信する受信手段と、前記受信手段によって受信された体温データを送信する第２の送信手段を有し、前記サーバは、前記第２の送信手段によって送信された前記体温データを受信する体温受信手段と、体温データの分析を指示する指示手段と、前記指示手段により分析の指示がなされた場合、前記受信手段によって受信した前記体温データを分析する分析手段と、前記分析手段により分析された分析結果を外部に送信する分析結果送信手段とを有することを特徴とする体温管理システム。」を、
　『【請求項２７】ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記送信手段によって送信された体温データを受信する受信手段と、前記受信手段によって受信された体温データを
暗号化する暗号化手段と、前記暗号化手段で暗号化された体温データを
暗号化された
暗号化された体温データを複製する複製手段と、前記暗号化された体温データを復号し、復号された
前記分析結果送信手段で分析データを送信後、前記分析データを削除する削除手段と
　
（２）訂正の目的の適否、新規事項の有無、及び特許請求の範囲の拡張・変更の存否
　
　訂正事項ａは、訂正前の請求項１における「体温データ取得工程」「体温データ記憶工程」で取得、記憶される「体温データ」を『暗号化された』ものに限定し、『前記暗号化された体温データを複製する複製工程』を更に有するものとし、訂正前の請求項１における「体温データ分析工程」で分析される体温データを『前記記憶工程で記憶した前記暗号化された体温データを復号し、復号された』ものに限定し、『送信工程で分析データを送信後、前記分析データを削除する削除工程』を更に有するものとするものであるから、特許請求の範囲の減縮を目的とするものに該当する。そして、特許明細書の【００４１】【００４２】、図４及び図１３に記載されたものであるから、特許明細書に記載した事項の範囲内においてするものであり、実質的に特許請求の範囲を拡張又は変更するものでもない。
　
　訂正事項ｂ及び訂正事項ｃは、それぞれ、訂正前の請求項４、請求項５に係る発明が、請求項１と請求項２を引用していたのを、上記訂正事項ａによる訂正との整合を図るために請求項２のみを引用することとしたものであるから、特許請求の範囲の減縮又は明りょうでない記載の釈明を目的とするものに該当する。そして、特許明細書に記載した事項の範囲内においてするものであり、実質的に特許請求の範囲を拡張又は変更するものでもないことは明らかである。
　
　訂正事項ｄは、訂正前の請求項９における「体温データ取得手段」「体温データ記憶手段」で取得、記憶される「体温データ」を『暗号化された』ものに限定し、『暗号化された体温データを複製する複製手段』を更に有するものとし、訂正前の請求項９における「体温データ分析手段」で分析される体温データを『記憶手段に記憶した前記暗号化された体温データを復号し、復号された』ものに限定し、『送信手段で分析データを送信後、前記分析データを削除する削除手段』を更に有するものとするものであるから、特許請求の範囲の減縮を目的とするものに該当する。そして、特許明細書の【００４１】【００４２】、図４及び図１３に記載されたものであるから、特許明細書に記載した事項の範囲内においてするものであり、実質的に特許請求の範囲を拡張又は変更するものでもない。
　
　訂正事項ｅは、訂正前の請求項１０における「体温データ取得手段」「体温データ記憶手段」で取得、記憶される「体温データ」を『暗号化された』ものに限定し、『暗号化された体温データを複製する複製手段』を更に有するものとし、訂正前の請求項１０における「体温データ分析手段」で分析される体温データを『記憶手段に記憶した前記暗号化された体温データを復号し、復号された』ものに限定し、『送信手段で分析データを送信後、前記分析データを削除する削除手段』を更に有するものとするものであるから、特許請求の範囲の減縮を目的とするものに該当する。そして、特許明細書の【００４１】【００４２】、図４及び図１３に記載されたものであるから、特許明細書に記載した事項の範囲内においてするものであり、実質的に特許請求の範囲を拡張又は変更するものでもない。　
　
　訂正事項ｆ及び訂正事項ｇは、訂正前の請求項１３及び請求項１４に係る発明が、請求項９乃至１１を引用していたのを、上記訂正事項ｅによる訂正との整合を図るために請求項１１のみを引用することとしたものであるから、特許請求の範囲の減縮又は明りょうでない記載の釈明を目的とするものに該当する。そして、特許明細書に記載した事項の範囲内においてするものであり、実質的に特許請求の範囲を拡張又は変更するものでもないことは明らかである。
　
　訂正事項ｈは、訂正前の請求項１８における「体温データ取得工程」「体温データ記憶工程」で取得、記憶される「体温データ」を『暗号化された』ものに限定し、『暗号化された体温データを複製する複製工程』を更に有するものとし、訂正前の請求項１８における「体温データ分析工程」で分析される体温データを『記憶工程で記憶した前記暗号化された体温データを復号し、復号された』ものに限定し、『送信工程で分析データを送信後、前記分析データを削除する削除工程』を更に有するものとするものであるから、特許請求の範囲の減縮を目的とするものに該当する。そして、特許明細書の【００４１】【００４２】、図４及び図１３に記載されたものであるから、特許明細書に記載した事項の範囲内においてするものであり、実質的に特許請求の範囲を拡張又は変更するものでもない。
　
　訂正事項ｉは、訂正前の請求項１９における「体温データ取得工程」「体温データ記憶工程」で取得、記憶される「体温データ」を『暗号化された』ものに限定し、『暗号化された体温データを複製する複製工程』を更に有するものとし、訂正前の請求項１９における「体温データ分析工程」で分析される体温データを『記憶工程で記憶した前記暗号化された体温データを復号し、復号された』ものに限定し、『送信工程で分析データを送信後、前記分析データを削除する削除工程』を更に有するものとするものであるから、特許請求の範囲の減縮を目的とするものに該当する。そして、特許明細書の【００４１】【００４２】、図４及び図１３に記載されたものであるから、特許明細書に記載した事項の範囲内においてするものであり、実質的に特許請求の範囲を拡張又は変更するものでもない。
　　
　訂正事項ｊ及び訂正事項ｋは、訂正前の請求項２１及び請求項２２に係る発明が、請求項１８乃至２０を引用していたのを、上記訂正事項ｉによる訂正との整合を図るために請求項２０のみを引用することとしたものであるから、特許請求の範囲の減縮又は明りょうでない記載の釈明を目的とするものに該当する。そして、特許明細書に記載した事項の範囲内においてするものであり、実質的に特許請求の範囲を拡張又は変更するものでもないことは明らかである。
　
　訂正事項ｌは、訂正前の請求項２６に係る発明において、『受信手段によって受信された体温データを暗号化する暗号化手段』を更に有するものとするとともに、訂正前の請求項２６における「第２の送信手段」「体温受信手段」で送信、受信される体温データを『前記暗号化手段によって暗号化された』ものに限定し、『前記暗号化された体温データを複製する複製手段』を更に有するものとするとともに、訂正前の請求項２６における「分析手段」で分析する体温データを『前記暗号化された体温データを復号し、復号された』ものに限定し、『分析結果送信手段で分析データを送信後、前記分析データを削除する削除手段』を更に有するものとする部分は、特許請求の範囲の減縮、訂正前の請求項２６における「所定の時間」を『所定の時刻』と訂正する部分は、明りょうでない記載の釈明、を目的とするものにそれぞれ該当する。そして、いずれも特許明細書の【００４１】【００４２】、図４及び図１３に記載されたものであるから、特許明細書に記載した事項の範囲内においてするものであり、実質的に特許請求の範囲を拡張又は変更するものでもない。
　
　訂正事項ｍは、訂正前の請求項２７に係る発明において、『受信手段によって受信された体温データを暗号化する暗号化手段』を更に有するものとするとともに、訂正前の請求項２７における「第２の送信手段」「体温受信手段」で送信、受信される体温データを『前記暗号化手段で暗号化された』ものに限定し、『前記暗号化された体温データを複製する複製手段』を更に有するものとするとともに、訂正前の請求項２７における「分析手段」にて分析する体温データを『前記暗号化された体温データを復号し、復号された』ものに限定し、『分析結果送信手段で分析データを送信後、前記分析データを削除する削除手段』を更に有するものとするものであるから、特許請求の範囲の減縮を目的とするものに該当する。そして、特許明細書の【００４１】【００４２】、図４及び図１３に記載されたものであるから、特許明細書に記載した事項の範囲内においてするものであり、実質的に特許請求の範囲を拡張又は変更するものでもない。
　
　そして、発明の詳細な説明においてする訂正は、いずれも特許請求の範囲においてした上記訂正事項ａ乃至ｍとの整合を図るためにするものであるから、不明りょうな記載の釈明を目的とするものに該当する。
　
（３）むすび
　したがって、上記訂正事項ａ乃至ｍに係る特許請求の範囲の訂正は、平成１５年改正前の特許法第１２０条の４第２項及び同条第３項で準用する第１２６条第２項及び第３項の規定に適合し、発明の詳細な説明においてする訂正は、特許法第１２０条の４第３項で準用する第１２６条第２項及び第３項の規定に適合しているので、上記平成１６年５月２１日にされた訂正請求における訂正を認める。
　
３．特許異議申立てについて
（１）申立ての理由の概要
　特許異議申立人大槻愛子は、下記の甲第１−６号証を提出し、本件の請求項１，３，４，５，８，９，１０，１２，１３，１４，１７，１８，１９，２１，２２，２３，２６，２７に係る特許は、甲第１−６号証により、特許法第２９条の２、同第２９条第１項３号、及び、同第２９条第２項の規定に違反してなされたものであるから取り消すべき旨、主張している。
　
　甲第１号証：特開２０００−１７５８７２号公報
　甲第２号証：特開平１０−１４３５７３号公報
　甲第３号証：特開２０００−８４４４号公報
　甲第４号証：特開平１０−３３４８６号公報
　甲第５号証：特開平３−２１８７２７号公報
　甲第６号証：特開２０００−９３３９６号公報 
　
（２）本件発明
　上記「２．」で示したように、上記訂正が認められるから、本件の請求項１，３，４，５，８，９，１０，１２，１３，１４，１７，１８，１９，２１，２２，２３，２６，２７に係る発明は、上記訂正に係る訂正明細書の特許請求の範囲の上記請求項に記載された事項により特定される次のとおりのものである。（以下、それぞれ、「本件発明１」「本件発明３」「本件発明４」「本件発明５」・・・「本件発明２３」「本件発明２６」「本件発明２７」という。）
　
『【請求項１】体温データの分析を指示する指示工程と、該指示工程により分析の指示がなされた場合、
暗号化された
暗号化された
前記暗号化された体温データを複製する複製工程と、
暗号化された体温データを復号し、復号された
前記送信工程で分析データを送信後、前記分析データを削除する削除工程と
　
『【請求項３】前記体温データとは基礎体温データであることを特徴とする請求項１または２に記載の体温管理方法。
　【請求項４】前記体温データ取得工程により取得されたデータは暗号化されたデータであることを特徴とする請求項２に記載の体温管理方法。
　【請求項５】前記体温データ分析工程は、前記体温データを復号する復号工程を更に有することを特徴とする請求項２に記載の体温管理方法。』
　
『【請求項８】前記分析データ送信工程によって送信された分析データの送信先は、少なくともパーソナルコンピュータ、携帯電話、携帯端末のいずれかであることを特徴とする請求項１または２に記載の体温管理方法。
　【請求項９】体温データの分析を指示する指示手段と、該指示手段により分析の指示がなされた場合、
暗号化された
暗号化された
前記暗号化された体温データを複製する複製手段と、前記記憶手段に記憶した前記暗号化された体温データを復号し、復号された
前記送信手段で分析データを送信後、前記分析データを削除する削除手段と
　【請求項１０】
暗号化された
暗号化された
暗号化された体温データを複製する複製手段と、前記記憶手段に記憶した前記暗号化された体温データを復号し、復号された
前記送信手段で分析データを送信後、前記分析データを削除する削除手段と、
　
『【請求項１２】前記体温データとは基礎体温データであることを特徴とする請求項９乃至１１の何れかに記載の体温管理装置。
　【請求項１３】前記体温データ取得手段により取得されたデータは暗号化されたデータであることを特徴とする請求項１１に記載の体温管理装置。　　【請求項１４】前記体温データ分析手段は、前記体温データを復号する復号手段を更に有することを特徴とする請求項１１に記載の体温管理装置。』
　
『【請求項１７】前記分析データ送信手段によって送信された分析データの
送信先は、少なくともパーソナルコンピュータ、携帯電話、携帯端末のいずれかであることを特徴とする請求項９乃至１１の何れかに記載の体温管理装置。
　【請求項１８】体温データの分析を指示する指示工程のプログラムコードと、該指示工程により分析の指示がなされた場合、
暗号化された
暗号化された
前記暗号化された体温データを複製する複製工程のプログラムコードと、
暗号化された体温データを復号し、復号された
前記送信工程で分析データを送信後、前記分析データを削除する削除工程のプログラムコードと
　【請求項１９】
暗号化された
暗号化された
前記暗号化された体温データを複製する複製工程のプログラムコードと、
暗号化された体温データを復号して、復号された
前記送信工程で分析データを送信後、前記分析データを削除する削除工程のプログラムコードと
　
『【請求項２１】前記体温データ取得工程により取得されたデータは暗号化されたデータであることを特徴とする請求項２０に記載の記憶媒体。
　【請求項２２】前記体温データ分析工程は、前記体温データを復号する復号工程を更に有することを特徴とする請求項２０に記載の記憶媒体。
　【請求項２３】前記分析データ送信工程によって送信された分析データの送信先は、少なくともパーソナルコンピュータ、携帯電話、携帯端末のいずれかであることを特徴とする請求項１８乃至２０の何れかに記載の記憶媒体。』
　
『【請求項２６】ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記送信手段によって送信された体温データを受信する受信手段と、前記受信手段によって受信された体温データ
を暗号化する暗号化手段と、前記暗号化手段によって暗号化された体温データ
暗号化された
時刻
時刻
暗号化された体温データを複製する複製手段と、前記暗号化された体温データを復号し、復号された
前記分析結果送信手段で分析データを送信後、前記分析データを削除する削除手段と
　【請求項２７】ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記送信手段によって送信された体温データを受信する受信手段と、前記受信手段によって受信された体温データを
暗号化する暗号化手段と、前記暗号化手段で暗号化された体温データを
暗号化された
暗号化された体温データを複製する複製手段と、前記暗号化された体温データを復号し、復号された
前記分析結果送信手段で分析データを送信後、前記分析データを削除する削除手段と
　
（３）刊行物に記載された発明
〔刊行物１〕
　当審が平成１６年３月３０日付けで通知した取消の理由で引用した甲第２号証である特開平１０−１４３５７３号公報（以下「刊行物１」という。）には、次の事項が記載乃至図示されている。
　
「【０００８】【発明の実施の形態】・・・図１に示される本実施形態の遠隔医療システムは、生体情報計測装置１が接続される端末装置２と、複数の生体情報診断装置５〜７と、中央処理装置４とが通信ネットワーク３を介して相互に接続されて構成されている。
　【０００９】・・・この端末装置２は、生体情報計測装置１により得られた生体情報データに基づいて第１の診断を行ない、その診断結果を中央処理装置４に送信する第１の診断手段を有している。生体情報計測装置１は被検体（図示しない）の生体情報を計測し、その計測結果を生体情報データとして端末装置２に対して出力する例えば血圧計、又は心電計、又は血中酸素濃度計である。・・・」
　【００１０】中央処理装置４は、端末装置２の第１の診断手段から送られてきた第１の診断結果を受信して処理することにより、該第１の診断結果を診断可能な生体情報診断装置を複数の生体情報診断装置５〜７のなかから選択するとともに、選択された生体情報診断装置に対して該第１の診断結果を送信する第１の診断結果処理手段を有している。
　【００１１】生体情報診断装置は、例えば医療施設内において担当医師毎に複数台設置される。同図では生体情報診断装置５，６，７の３台が担当医師Ａ，Ｂ，Ｃのために設置される場合が示されている。生体情報診断装置５〜７は、それぞれ、中央処理装置４から送られてきた第１の診断結果に基づいて第２の診断を行ない、その診断結果を中央処理装置４に送信する第２の診断手段を有している。・・・」
　
「【００１３】図１に示される生体情報計測機器１、端末装置２、中央処理装置４、生体情報診断装置５〜７は、いずれもコンピュータ及びコンピュータ制御の電子機器から構成されている。コンピュータとしては種々のものが知られているが、タワー型若しくはデスクトップ型若しくはノート型のパーソナルコンピュータ、ワークステーション、大型コンピュータなどが挙げられる。ちなみに端末装置２はインターネット端末と同等の機能を有する小型の家庭用ゲーム機器により構成しても良い。」
　
「【００１６】このプログラム２００は、生体情報計測機器１を制御することにより被検体からの生体情報を収集し、これにより得られた被検体の生体情報データに基づいて自動診断（第１の診断）を行い、この診断により異常が発見された場合は、その生体情報データ及び異常である旨が記載された診断結果を中央処理装置４に送信する。また、生体情報計測機器１による計測終了の後、上記自動診断の結果又は中央処理装置４を介して送られてきた生体情報診断装置５〜７からの診断結果及び指示内容を受信して表示する。・・・」
　
「【００１９】図３は中央処理装置４の概略構成を示すブロック図である。　　・・・
　【００２０】・・・第１及び第２データ受信部４０３及び４０５により受信した生体情報データ及び診断結果（第１及び第２の診断結果）を記憶するデータ記憶部４０４とを有している。・・・
　【００２１】・・・当該第１の診断結果（及びこれに関連する生体情報データ）を診断可能な生体情報診断装置を複数の生体情報診断装置５〜７のなかから選択するとともに、選択された生体情報診断装置に対して上記診断結果を即時に送信する第１の診断結果処理手段としての第１データ送信部４０６を有している。
　【００２２】また、データ記憶部４０４の記憶内容（第２データ受信部４０５による受信内容）に基づき、生体情報診断装置５〜７から異常が報告されていなければ、その旨を生体情報データの送信元である端末装置２に対し通信ネットワーク３を介して送信し、異常が報告されている場合にはデータ記憶部４０４に記憶されている第２の診断結果及び指示内容を、同様に送信元の端末装置２に送信する第２の診断結果処理手段としての第２データ送信部４０７を有している。」
　【００２３】・・・図示しない緊急連絡先に対して通信ネットワーク３を経由して緊急連絡を行なう緊急連絡部４０８を有している。データ記憶部４０４は、端末装置２から事前にアップロードされた例えば電話番号などの緊急連絡先情報を記憶保持するものとなっている。緊急連絡部４０８は、より具体的には、電子メールシステムを利用して構成される。」
　
「【００２６】まず、端末装置２においてＷＷＷブラウザが起動され、このブラウザを介して、ＷＷＷサーバーである中央処理装置４に対して検査開始要求がなされる。開始要求がなされると、生体情報計測機器１による計測が実際に行われる前に、端末装置２において実行される生体情報計測プログラムのダウンロードが行われる。これは、中央処理装置４から送られてきた生体情報機器リストのなかから所要の生体情報計測機器を選択するとともに、端末装置２のマシン情報、ＯＳなどを指定して行われる。これにより、ＨＴＭＬファイル及びＪａｖａアプレット等からなる生体情報計測プログラムが中央処理装置４から端末装置２にダウンロードされる。当該プログラムがダウンロードされた後、端末装置２から中央処置装置４に対して通信回線確立要求がなされ、計測が開始される。なお、ここで確立された通信回線は、計測が終了された後に開放される。」
　
「【００２７】・・・ステップＳ６においては、異常パターンが検出された生体情報データ及び当該チェック結果（タイムスタンプを含む）が、中央処理装置４に対して送られる。」
　
〔刊行物２〕
　当審が上記取消の理由で引用した甲第４号証である特開平１０−３３４８６号公報（以下「刊行物２」という。）には、次の事項が記載乃至図示されている。
　
「【０００８】図１に示すように、利用者の自宅１には、生体デ−タ測定装置として利用者の体温を測定し、自動的に記録する自動記録体温計２が備えられている。利用者が不妊症の診察を受けるため、この自動記録体温計２で、毎日、所定の時刻に基礎体温を測定すると、この基礎体温は内蔵したＲＡＭに測定日時とともに測温デ−タとして自動的に記録される。・・・
　【０００９】自動記録体温計２は、上記「測温データ」や・・・それぞれの生体データが記録される。・・・生体データは、・・・パーソナルコンピュータ４に入力され、記憶される。パーソナルコンピュータ４は、・・・を介して電話回線（電話網）７に接続することができる。そしてパーソナルコンピュータ４は、所定のキーボード操作により、上記の生体データを電話回線７に送出することができる。
　【００１０】・・・前記利用者の不妊症の診察をする医師の居る医院８等には、電話回線７を介して伝送されてきた生体データを受信するための・・・パーソナルコンピュータ１１とが設けられている。上記パーソナルコンピュータ１１は、電話回線７を介して伝送されてきた生体データを・・・入力し、そのデータを記憶する。
　【００１１】パーソナルコンピュータ１１は、様々な診察プログラムを格納しており、この診察プログラムのうち、不妊症の診察に係るプログラムを走らせることにより、上記生体データに基づいて不妊症治療情報を生成して表示するため、医師はこの情報を参照して利用者に対する不妊症治療の診断をし、治療法を決定したうえ、パーソナルコンピュータ１１から電話回線７を介して利用者宅のパーソナルコンピュータ４に、その診断結果、及び治療法等を伝送する。そして利用者宅のパーソナルコンピュータ４には、その診断結果、及び治療法等が表示される。」
　
〔刊行物３〕
　当審が上記取消の理由で引用した甲第５号証である特開平３−２１８７２７号公報（以下「刊行物３」という。）には、次の事項が記載乃至図示されている。
　
「１．医用データを収集、蓄積、管理、通信するシステムにおいて、医用データの通信を行うとき、医用データを送信する装置がデータを暗号化して通信路にのせ、医用データを受信する装置が前記暗号化されたデータを復号することを特徴とする医用画像蓄積管理通信システム。」（特許請求範囲）
  
「本発明の画像データの例を第２図に示す。送信側では、先ず画像データは暗号化器（８）により情報源暗号化を施され、通信路符号化器（１０）により通信路符号化され、変調（１２）された上で通信路（１４）に送信される。
　受信側では、先ず復調（１３）された後、通信路復号器（１１）で通信路復号化され、復号器（９）  により情報源復号化が施され、元の画像データに戻される。」（３頁右上欄１〜９行）
　
〔刊行物４〕
　当審が上記取消の理由で引用した甲第６号証である特開２０００−９３３９６号公報（以下「刊行物４」という。）には、次の事項が記載乃至図示されている。
　
「【００６３】そして、サーバ１０は、判定装置１１において被診断対象者Ｍの健康状態がレベル２に分類されたときには、被診断対象者Ｍの携帯電話Ｔに上記メッセージを送信するとともに、このメッセージにおいて指定した医療機関に被診断対象者Ｍの上記の各生体データを送信する。」
　
４．対比・判断 
〔本件発明１について（１）〕 
　刊行物１に記載された生体情報データ管理方法は、（ａ１）「端末装置により中央処理装置に対して検査開始要求をし」（【００２６】）、（ａ２）「端末装置が、自動診断により異常が検出された時に、生体情報データ・第１の診断結果を中央処理装置に送信し」（【００１６】）、（ａ３）「中央処理装置が生体情報データ・第１の診断結果を第１データ受信部により受信し」（【００２０】）、（ａ４）「中央処理装置が、第１データ受信部により受信した生体情報データをデータ記憶部に記憶し」（【００２０】）、（ａ５）「中央処理装置は、異常が報告された場合に、生体情報データ及び第１の診断結果を生体情報診断装置に送信し、生体情報診断装置は、中央処理装置から送られてきた生体情報データ及び第１の診断結果に基づいて第２の診断を行い」（【００１１】、【００２１】）、（ａ６）「中央処理装置は、生体情報診断装置から報告された第２の診断結果・指示内容を端末装置に送信する」（【００２１】）ものである。 
　
　本件発明１と刊行物１記載の発明とを対比すると、刊行物１に記載の（ａ１），（ａ２）は、本件発明１における「生体情報データの分析を指示する指示工程」に相当し、（ａ３）、（ａ４）、（ａ５）、（ａ６）は、本件発明１における、「指示工程により分析の指示がなされた場合、生体情報データを取得する生体情報データ取得工程」、「取得工程より取得した生体情報データを記憶する生体情報データ記憶工程」、「記憶工程で記憶した生体情報データをもとに生体情報データを分析する生体情報データ分析工程」、「分析工程より分析された分析データを外部へ送信する分析データ送信工程」にそれぞれ相当するから、両者は、 
　
（一致点）
「生体情報データの分析を指示する指示工程と、 
　該指示工程により分析の指示がなされた場合、生体情報データを取得する生体情報データ取得工程と、 
　前記取得工程より取得した前記生体情報データを記憶する生体情報データ記憶工程と、 
　前記記憶工程で記憶した前記生体情報データをもとに生体情報データを分析する生体情報データ分析工程と、 
　前記分析工程より分析された分析データを外部へ送信する分析データ送信工程と、 
　を有する生体情報管理方法。」
　
　である点で一致し、以下の点で相違している。 
　
（相違点１） 
　本件発明１においては、「生体情報」が『体温』であって、
　「指示工程」、「生体情報データ取得工程」、「生体情報データ記憶工程」、「生体情報データ分析工程」が、それぞれ『体温データの分析を指示する指示工程』、『指示工程により分析の指示がなされた場合、暗号化された体温データを取得する体温データ取得工程』、『前記取得工程より取得した前記暗号化された体温データを記憶する体温データ記憶工程』、『前記記憶工程で記憶した前記暗号化された体温データを復号し、復号された体温データをもとに体温データを分析する体温データ分析工程』であり、
　『暗号化された体温データを複製する複製工程』と『送信工程で分析データを送信後、前記分析データを削除する削除工程』を更に有しているのに対して、
　刊行物１記載の発明においては、「生体情報」としては、「血圧、心電、血中酸素濃度」が例示されているだけであり、
　各工程は「生体情報データ」について分析の指示・データの取得・データの記憶・データの分析を行うものにすぎず、暗号化された体温データの取得・記憶、記憶した暗号化された体温データの復号を行なう上記の「体温データ取得工程」、「体温データ記憶工程」、「体温データ分析工程」の構成について記載されておらず、
　暗号化された体温データを複製する「複製工程」や送信工程で分析データを送信した後、前記分析データを削除する「削除工程」についても記載がない点。
　
　上記（相違点１）について検討する。 
　まず、医療分野において管理される「生体情報」として『体温』は、刊行物２に記載されているように、普通に用いられているものである。 
　また、医用データや個人情報等保護・秘匿性が求められるデータを取り扱うにあたり、データのセキュリティの観点から、１）データの送信・受信の際に、データの暗号化・復号化を行うことや、２）データを記憶する際に、暗号化されたデータを記憶すること、３）データを復号するに際し、記憶した暗号化されたデータを復号することは、いずれも本件出願前に周知の技術にすぎないし（刊行物３（データの送信・受信時に、データの暗号化・復号化を行う点。）や、特開平４−１４７３７４号公報（データ送信時には、データを暗号化し、データ受信時には、暗号化されたデータを一旦記憶し、記憶した暗号化されたデータを復号する点。２頁右下欄２−１１行、図１等）、特開平１１−４５３０４号公報（医療支援システムにて医療データを管理する際に、医療データを暗号化して記憶し、必要に応じ、記憶した暗号化されたデータを復号する点。【００３４】−【００３８】、図１等）、特開平１１−２１２８７４号公報（受信したデータを秘匿性を高めるために暗号化して記憶し、必要に応じ、記憶した暗号化されたデータを復号する点。例えば、【要約】の【解決手段】の記載、図１，６等）、特開平１１−５３６６８号公報（医療データを暗号化して記憶し、必要に応じて記憶した暗号化されたデータを復号する点。【００１１】、【００５３】、【００５９】、図１等）等を参照。）、４）情報処理の技術分野においては、重要なデータが不測の事態により失われてしまう場合に備えて、当該データを複製しておくこと（バックアップをとっておくこと）や、セキュリティ上の観点や記憶容量確保の観点から保存しておく必要のないデータを削除することは引用例を示すまでもなく周知慣用の技術的手段である。
　
　そうすると、刊行物１記載の生体情報データ管理方法において、「生体情報」として『体温』を用いる構成とするとともに、
　管理される「生体情報データ」は、医用や個人情報に属するデータであって保護・秘匿性が必要とされるものであることを考慮して、端末装置が送信した生体情報データを取得する「生体情報データ取得工程」、取得した生体情報データを記憶する「生体情報データ記億工程」、記憶した生体情報データをもとに生体情報データを分析する「生体情報データ分析工程」の各工程の構成を、上記の本件出願前に周知の保護・秘匿性が求められるデータの取り扱いに関する１）〜３）の技術に基づき、暗号化された体温データを取得し、暗号化された体温データを記憶し、記憶した暗号化された体温データを復号し、復号された体温データを用いて分析する構成として、『体温データの分析を指示する指示工程』、『指示工程により分析の指示がなされた場合、暗号化された体温データを取得する体温データ取得工程』、『取得工程より取得した暗号化された体温データを記憶する体温データ記憶工程』、『記憶工程で記憶した暗号化された体温データを復号し、復号された体温データをもとに体温データを分析する体温データ分析工程』を備えた構成とする程度のことは当業者であれば容易になし得ることであり、その際、取得した暗号化された体温データは重要なデータであるから、上記４）の周知慣用の技術的手段を採用して、『暗号化された体温データを複製する複製工程』と『送信工程で分析データを送信後、前記分析データを削除する削除工程』を備えるようにすることは当業者が当然になし得ることにすぎない。　
　
　してみると、本件発明１は、刊行物１乃至３に記載された発明及び上記周知技術に基いて当業者が容易に発明をすることができたものである。 
　
〔本件発明１について（２）〕 　 
　刊行物２記載の体温管理方法は、（ｂ１）「所定のキーボード操作により基礎体温データを電話回線に送出し」（【０００９】）、（ｂ２）「医院のＰＣ（パーソナルコンピュータ）は、電話回線を介して伝送された基礎体温データをネットワークコントロールユニットを介して入力し」、（ｂ３）「医院のＰＣはそのデータを記憶し」（【００１０】）、（ｂ４）「医院のＰＣは、不妊症の診察に係るプログラムを走らせることにより、基礎体温データに基づいて不妊症治療情報を作成・表示するとともに、医師が不妊症治療情報を参照することによって診断結果・治療法を決定し」、（ｂ５）「医院のＰＣは、決定された診断結果・治療法を利用者のＰＣに伝送する」（【００１１】）ものである。
 　 
　本件発明１と刊行物２記載の発明とを対比すると、刊行物２に記載の（ｂ１）、（ｂ２）、（ｂ３）、（ｂ４）、（ｂ５）は、本件発明１における、「体温データの分析を指示する指示工程」、「指示工程により分析の指示がなされた場合、体温データを取得する体温データ取得工程」、「取得工程より取得した体温データを記憶する体温データ記憶工程」、「記憶工程で記憶した体温データをもとに体温データを分析する体温データ分析工程」、「分析工程より分析された分析データを外部へ送信する分析データ送信工程」にそれぞれ相当するから、両者は、 
　
（一致点）　
「体温データの分析を指示する指示工程と、 
　該指示工程により分析の指示がなされた場合、体温データを取得する体温データ取得工程と、 
　前記取得工程より取得した前記体温データを記憶する体温データ記憶工程と、 
　前記記憶工程で記憶した前記体温データをもとに体温データを分析する体温データ分析工程と、 
　前記分析工程より分析された分析データを外部へ送信する分析データ送信工程と、 
　を有する体温管理方法。」
　
　である点で一致し、以下の点で相違している。 
　
（相違点２） 
　本件発明１においては、「体温データ取得工程」、「体温データ記憶工程」、「体温データ分析工程」が、それぞれ『該指示工程により分析の指示がなされた場合、暗号化された体温データを取得する体温データ取得工程』、『前記取得工程より取得した前記暗号化された体温データを記憶する体温データ記憶工程』、『前記記憶工程で記憶した前記暗号化された体温データを復号し、復号された体温データをもとに体温データを分析する体温データ分析工程』であり、
　『暗号化された体温データを複製する複製工程』と『送信工程で分析データを送信後、前記分析データを削除する削除工程』を更に有しているのに対して、 
　刊行物２記載の発明においては、各工程は「体温データ」についてデータの取得・記憶・分析を行うものにすぎず、暗号化された体温データの取得・記憶、記憶した暗号化された体温データの復号を行なう上記の「体温データ取得工程」、「体温データ記憶工程」、「体温データ分析工程」の構成について記載されておらず、
　暗号化された体温データを複製する「複製工程」や送信工程で分析データを送信した後、前記分析データを削除する「削除工程」についても記載がない点。 
　
　上記（相違点２）について検討する。 
　刊行物２記載の発明において、管理される「体温データ」は保護・秘匿性が必要とされるものであることから、「体温データ取得工程」、「体温データ記憶工程」、「体温データ分析工程」の各工程の構成を、上記の相違点１についての検討で示した本件出願前に周知の保護・秘匿性が求められるデータの取り扱いに関する１）〜３）の技術に基づき、暗号化された体温データを取得し、暗号化された体温データを記憶し、記憶した暗号化された体温データを復号し、復号された体温データを用いて分析する構成として、『指示工程により分析の指示がなされた場合、暗号化された体温データを取得する体温データ取得工程』、『取得工程より取得した暗号化された体温データを記憶する体温データ記憶工程』、『記憶工程で記憶した暗号化された体温データを復号し、復号された体温データをもとに体温データを分析する体温データ分析工程』を備えた構成とする程度のことは当業者であれば容易になし得ることであり、その際、『暗号化された体温データを複製する複製工程』と『送信工程で分析データを送信後、前記分析データを削除する削除工程』を備える点については、上記の相違点１についての検討で示した理由が当てはまる。
　
　してみると、本件発明１は、刊行物２，３に記載された発明及び上記周知技術に基いて当業者が容易に発明をすることができたものである。 
　
〔本件発明３について〕 
　本件発明３は、本件発明１において、「体温データ」が『基礎体温データ』である旨限定されたものである。 
　
　医療分野において管理される「生体情報」として、「基礎体温」は、刊行物２にも記載されているように普通に用いられているものであるから、本件発明３は、〔本件発明１について（１）〕において述べた理由が当てはまり、刊行物１乃至３記載の発明及び上記周知技術に基いて当業者が容易に発明をすることができたものである。 
　
　また、刊行物２に記載された「体温データ」は「基礎体温データ」であるから、本件発明３は、〔本件発明１について（２）〕において述べた理由が当てはまり、刊行物２，３に記載された発明及び上記周知技術に基いて当業者が容易に発明をすることができたものである。 
　
〔本件発明８について〕
　本件発明８は、本件発明１において、分析データ送信工程によって送信された分析データの送信先が『少なくともパーソナルコンピュータ、携帯電話、携帯端末のいずれかである』旨限定されたものである。 
　ここで、基礎体温データ等の生体情報データの分析データの送信先を、パーソナルコンピュータとすることは、刊行物１，２にも記載されていることであり、刊行物４には、生体情報管理方法において、分析データの送信先を携帯電話とすることも記載されている。 
　
　してみると、本件発明８は、〔本件発明１について（１）〕、〔本件発明１について（１）〕において述べた理由が当てはまり、刊行物１乃至４に記載された発明及び上記周知技術に基いて当業者が容易に発明をすることができたものである。 
　
〔本件発明９について〕
　本件発明９の「体温管理装置」は、本件発明１の「体温管理方法」における各「工程」を、「体温管理装置」における各『手段』としたものにすぎない。 
　そして、刊行物１，２に記載の各「工程」は各「手段」と理解することができるものであるから、本件発明９は、〔本件発明１について（１）〕、〔本件発明１について（１）〕において述べた理由が当てはまり、刊行物１乃至３に記載された発明及び上記周知技術に基いて当業者が容易に発明をすることができたものである。 
　
〔本件発明１０について〕
　本件発明１０の「体温管理装置」は、本件発明９の体温管理装置から『体温データの分析を指示する指示手段』を有する旨の限定と、「体温データ取得手段」における『該指示手段により分析の指示がなされた場合』の限定とが省かれるとともに、『前記分析データ送信手段により送信される分析データの送信先として、予め設定されている送信先以外に、更に任意に送信先を設定する送信先設定手段』を有する旨の限定が追加されたものである。 
　
　ここで、「分析データ送信手段により送信される分析データの送信先として、予め設定されている送信先以外に、更に任意に送信先を設定する送信先設定手段」は刊行物１（【００２３】）に記載されており、また、刊行物２記載の発明に、この「送信先設定手段」を採用することも、当業者が適宜になし得ることである。 
 　 
　してみると、本件発明１０は、〔本件発明９について〕において述べた理由が当てはまり、刊行物１乃至３に記載された発明及び上記周知技術に基いて当業者が容易に発明をすることができたものである。 
 　 
〔本件発明１２について〕 
　本件発明１２は、本件発明９，本件発明１０において、「体温データ」を『基礎体温データ』としたものである。 
　
　ここで、医療分野において管理される「生体情報」として、「基礎体温」は、刊行物２にも記載されているように、普通に用いられているものであるから、本件発明１２は、〔本件発明９について〕、〔本件発明１０について〕で述べた理由が当てはまり、刊行物１乃至３に記載された発明及び上記周知技術に基いて当業者が容易に発明をすることができたものである。
　
〔本件発明１７について〕
　本件発明１７は、本件発明９，本件発明１０において、分析データ送信手段によって送信された分析データの送信先が『少なくともパーソナルコンピュータ、携帯電話、携帯端末のいずれかである』旨限定されたものである。 
　ここで、基礎体温データ等の生体情報データの分析データの送信先を、パーソナルコンピュータとすることは、刊行物１，２にも記載されていることであり、刊行物４には、生体情報管理装置において、分析データの送信先を携帯電話とすることも記載されている。 
　
　してみると、本件発明１７は、〔本件発明９について〕、〔本件発明１０について〕で述べた理由が当てはまり、刊行物１乃至４に記載された発明及び上記周知技術に基いて当業者が容易に発明をすることができたものである。 
 　 
〔本件発明１８について〕
　本件発明１８は、要するに、本件発明１の体温管理方法を構成する各『工程』のプログラムコードを有する記憶媒体である。 
　
　所定の一連の各「工程」に関して、各「工程」のプログラムコードを有する記憶媒体を構成することは、当業者が普通に行っていることであるから、本件発明１８は、〔本件発明１について（１）〕、〔本件発明１について（２）において述べた理由が当てはまり、刊行物１乃至３に記載された発明及び上記周知技術に基いて当業者が容易に発明をすることができたものである。 
 　 
〔本件発明１９について〕
　本件発明１９は、要するに、本件発明１８の記憶媒体から『体温データの分析を指示する指示工程のプログラムコード』の限定と、「体温データ取得工程のプログラム」における『該指示工程により分析の指示がなされた場合』の限定とが省かれるとともに、『前記分析データ送信工程により送信される分析データの送信先として、予め設定されている送信先以外に、更に任意に送信先を設定する送信先設定工程のプログラムコード』を有する旨の限定が追加されたものである。 
　
　ここで、「分析データ送信工程により送信される分析データの送信先として、予め設定されている送信先以外に、更に任意に送信先を設定する送信先設定手段」は刊行物１に記載されており、また、刊行物２に記載された発明に、この「送信先設定手段」を採用することも、当業者が適宜になし得ることである。 
　
　してみると、本件発明１９は、〔本件発明１８について〕において述べた理由が当てはまり、刊行物１乃至３に記載された発明及び上記周知技術に基いて当業者が容易に発明をすることができたものである。 
　
〔本件発明２３について〕
　本件発明２３は、本件発明１８、１９において、分析データ送信工程によって送信された分析データの送信先が『少なくともパーソナルコンピュータ、携帯電話、携帯端末のいずれかである』旨限定されただけのものである。
　
　ここで、生体情報データの分析データの送信先を、パーソナルコンピュータとすることは、刊行物１，２にも記載されていることであり、刊行物４には、分析データの送信先を携帯電話とすることも記載されている。 
　
　してみると、本件発明２３は、〔本件発明１８について〕、〔本件発明１９について〕において述べた理由が当てはまり、刊行物１乃至４に記載された発明及び上記周知技術に基いて当業者が容易に発明をすることができたものである。 
 　 
〔本件発明２７について（１）〕 
　刊行物２記載の体温管理システムにおいては、「自動記録体温計」は、体温データを計測する「計測手段」と計測手段によって計測された体温データを送信する「送信手段」を備え、「利用者のパーソナルコンピュータ（以下、「ＰＣ」という。）」は、自動記録体温計の送信手段によって送信された体温データを受信する「受信手段」と体温データを電話網を介して送信する「送信手段」を備え、「医院のＰＣ」は、利用者のＰＣの送信手段によって送信された体温データを受信する「体温受信手段」を備えており、また、医院のＰＣが、体温データを受信・記憶し、（ｃ１）「医院のＰＣのプログラムが走らされ」、（ｃ２）「医院のＰＣにより、ＰＣに記憶されている体温データに基づいて、不妊症治療情報が生成・表示され、診断結果・治療法が決定され」、（ｃ３）「医院のＰＣにより、診断結果・治療法が利用者のＰＣに送信される」ものである。 
　
　ここで、本件発明２７と刊行物２記載の体温管理システムとを対比すると、刊行物２に記載された「自動記録体温計」、「利用者のＰＣ」、「電話網」、「医院のＰＣ」は、本件発明２７における『体温計』、『体温計端末』、『ネットワーク』、『サーバ』にそれぞれ相当し、また、上記の（ｃ１）、（ｃ２）、（ｃ３）の構成は、本件発明２７における、『サーバ』が『体温データの分析を指示する指示手段』、『指示手段により分析の指示がなされた場合、体温受信手段によって受信した体温データを分析する分析手段』、『分析手段により分析された分析結果を外部に送信する分析結果送信手段』をそれぞれ有することに相当する。
　
　してみると、両者は、 
　
（一致点）
「ネットワークを介してサーバと、体温データを送信する体温計端末と体温計が接続されている体温管理システムにおいて、 
　前記体温計は、 
　体温データを計測する計測手段と、 
　前記計測手段によって計測された体温データを送信する第１の送信手段を有し、前記体温計端末は、 
　前記第１の送信手段によって送信された体温データを受信する受信手段と、 
　前記体温データを送信する第２の送信手段を有し、 
　前記サーバは、 
　前記第２の送信手段によって送信された体温データを受信する体温受信手段と、 
　体温データの分析を指示する指示手段と、 
　前記指示手段により分析の指示がなされた場合、前記体温受信手段によって受信した体温データを分析する分析手段と、 
　前記分析手段により分析された分析結果を外部に送信する分析結果送信手段とを有する体温管理システム。」
　
　である点で一致し、以下の点で相違している。 
　
（相違点３） 
　本件発明２７においては、『体温計端末』が『受信手段によって受信された体温データを暗号化する暗号化手段』を有し、『第２の送信手段』が『暗号化手段で暗号化された体温データ』を送信し、かつ、『サーバ』の『体温受信手段』が、第２の送信手段によって送信された『暗号化された』体温データを受信し、『分析手段』が、指示手段により分析の指示がなされた場合、前記体温受信手段によって受信した『前記暗号化された体温データを復号し、復号された』体温データを分析するものであり、
　『暗号化された体温データを複製する複製手段』と『分析結果送信手段で分析データを送信後、前記分析データを削除する削除手段』を更に有しているのに対して、
　刊行物２に記載された発明においては、これらの構成について記載されていない点。 
　
　上記（相違点３）について検討する。 
　刊行物２記載の発明においては、体温データが「体温計端末」から「サーバ」に送信され、体温データが「サーバ」によって、受信・記憶され、分析の指示がなされた時に、記憶された体温データを分析するものであり、刊行物２記載の発明において、管理される体温データの送信・受信時及び記憶時の保護・秘匿性を考慮して、上記の本件出願前に周知の保護・秘匿性が求められるデータの取り扱いに関する１）〜３）の技術に基づき、『体温計端末』が『サーバ』に暗号化された体温データを送信し、『サーバ』が暗号化された体温データを受信・記憶し、体温データの分析をする際、記憶した暗号化された体温データを復号し、復号された体温データの分析を行う構成とし、『体温計端末』が『受信手段によって受信された体温データを暗号化する暗号化手段』を有し、『第２の送信手段』が『暗号化手段で暗号化された』体温データを送信し、かつ、『サーバ』の『体温受信手段』が、第２の送信手段によって送信された『暗号化された』体温データを受信し、『分析手段』が、指示手段により分析の指示がなされた場合、前記体温受信手段によって受信した『前記暗号化された体温データを復号し、復号された』体温データを分析する構成とする程度のことは当業者であれば容易に想到し得ることであり、その際、『暗号化された体温データを複製する複製手段』と『分析結果送信手段で分析データを送信後、前記分析データを削除する削除手段』を備える点については、上記の相違点１についての検討で示した理由が当てはまる。
 　 
　してみると、本件発明２７は、刊行物２，３に記載された発明及び上記周知技術に基いて当業者が容易に発明をすることができたものである。 
 　 
〔本件発明２７について（２）〕
　刊行物１記載の生体情報管理システムにおいては、「生体情報計測機器」は、生体情報データを計測する「計測手段」と計測手段によって計測された生体情報データを送信する「送信手段」を備え、「端末装置」は、「生体情報計測機器」の送信手段によって送信された生体情報データを受信する「受信手段」と生体情報データを送信する「送信手段」を備え、「中央処理装置」は、「端末装置」によって送信された生体情報データを受信する「生体情報受信手段」を備えており、また、端末装置が中央処理装置へ生体情報データが送信し、中央処理装置が生体情報データ・第１の診断結果を第１データ受信部により受信・記憶し、（ｄ１）「中央処理装置は、異常が報告された場合に、生体情報データ及び第１の診断結果を生体情報診断装置に送信し」、（ｄ２）「生体情報診断装置は、中央処理装置から送られてきた生体情報データ及び第１の診断結果に基づいて第２の診断を行い」、（ｄ３）「中央処理装置は、生体情報診断装置から報告された第２の診断結果・指示内容を端末装置に送信する」ものである。 
　
　本件発明２７と刊行物１記載の発明とを対比すると、刊行物１に記載の「中央処理装置」及び「生体情報診断装置」は、本件発明２７における『サーバ』に相当し、上記の（ｄ１）、（ｄ２）、（ｄ３）の構成は、本件発明２７における『サーバ』が『生体情報データの分析を指示する指示手段』、『指示手段により分析の指示がなされた場合、生体情報受信手段に受信した生体情報データを分析する分析手段』、『分析手段により分析された分析結果を外部に送信する分析結果送信手段』をそれぞれ有することに相当する。 
　
　してみると、両者は、 
　
（一致点）
「ネットワークを介してサーバと、生体情報データを送信する生体情報計測機器端末と生体情報計測機器が接続されている生体情報管理システムにおいて、
　前記生体情報計測機器は、 
　生体情報データを計測する計測手段と、 
　前記計測手段によって計測された生体情報データを送信する第１の送信手段を有し、 
　前記生体情報計測機器端末は、 
　前記第１の送信手段によって送信された生体情報データを受信する受信手段と、 
　前記生体情報データを送信する第２の送信手段を有し、 
　前記サーバは、 
　前記第２の送信手段によって送信された生体情報データを受信する生体情報受信手段と、 
　生体情報データの分析を指示する指示手段と、 
　前記指示手段により分析の指示がなされた場合、前記生体情報受信手段によって受信した生体情報データを分析する分析手段と、 
　前記分析手段により分析された分析結果を外部に送信する分析結果送信手段と 
　を有する生体情報管理システム。」
　
　である点で一致し、以下の点で相違している。 
 　 
（相違点４） 
　本件発明２７においては、「生体情報」、「生体情報計測機器」、「生体情報管理システム」は、それぞれ『体温』、『体温計』、『体温管理システム』であって、『体温計端末』」が『受信手段によって受信された体温データを暗号化する暗号化手段』を有し、『第２の送信手段』が『暗号化手段で暗号化された』体温データを送信し、かつ、『サーバ』が『第２の送信手段によって送信された暗号化された体温データを受信する体温受信手段』、『指示手段により体温データの分析の指示がなされた場合、前記体温受信手段によって受信した前記暗号化された体温データを復号し、復号された体温データを分析する分析手段』を有し、
　『暗号化された体温データを複製する複製手段』と『分析結果送信手段で分析データを送信後、前記分析データを削除する削除手段』を更に有しているのに対して、
　刊行物１に記載された発明においては、これらの構成について記載されていない点。 
　
　上記（相違点４）について検討する。 
　まず、医療分野において管理される「生体情報」として、「体温」は、刊行物２に記載されているように、普通に用いられているものである。 
　そして、刊行物１記載の発明において、「生体情報」を『体温』として、「生体情報計測機器」、「生体情報管理システム」を『体温計』、『体温管理システム』とするとともに、管理される体温データの保護・秘匿性を考慮し、上記の本件出願前に周知の保護・秘匿性が求められるデータの取り扱いに関する１）〜３）の技術に基づき、『体温計端末』が、暗号化された体温データをサーバに送信し、サーバは暗号化された体温データを受信・記憶し、サーバは、体温データの分析を行う際に、記憶した暗号化された体温データを復号し、復号した体温データを分析する構成として、『体温計端末』が『受信手段によって受信された体温データを暗号化する暗号化手段』を有し、『第２の送信手段』が『暗号化手段で暗号化された』体温データを送信し、かつ、『サーバ』が『第２の送信手段によって送信された暗号化された体温データを受信する体温受信手段』、『指示手段により体温データの分析の指示がなされた場合、前記体温受信手段によって受信した前記暗号化された体温データを復号し、復号された体温データを分析する分析手段』を有する構成とする程度のことは、当業者であれば容易に想到し得ることであり、その際、『暗号化された体温データを複製する複製手段』と『分析結果送信手段で分析データを送信後、前記分析データを削除する削除手段』を備える点については、上記の相違点１についての検討で示した理由が当てはまる。
　
　してみると、本件発明２７は、刊行物１乃至３に記載された発明及び上記周知技術に基いて当業者が容易に発明をすることができたものである。 
 　 
〔本件発明２６について〕
　本件発明２６と刊行物２記載の発明とを対比すると、両者は、
　
（一致点）
「ネットワークを介してサーバと、体温データを送信する体温計端末と体温計が接続されている体温管理システムにおいて、 
　前記体温計は、 
　体温データを計測する計測手段と、 
　前記計測手段によって計測された体温データを送信する第１の送信手段を有し、前記体温計端末は、 
　前記第１の送信手段によって送信された体温データを受信する受信手段と、 
　前記体温データを送信する第２の送信手段を有し、 
　前記サーバは、 
　前記第２の送信手段によって送信された体温データを受信する体温受信手段と、 
　前記体温受信手段によって受信した体温データを分析する分析手段と、 
　前記分析手段により分析された分析結果を外部に送信する分析結果送信手段とを有する体温管理システム。」
　
　である点で一致し、以下の点で相違している。 
　
（相違点５） 
　本件発明２６においては、『サーバ』が『所定の時刻になったかどうかを判断する判断手段』を有し、『分析手段』が『判断手段で、所定の時刻になったことが判断された場合』に『前記体温受信手段によって受信した体温データを分析する』ものであるとともに、『体温計端末』が『受信手段によって受信された体温データを暗号化する暗号化手段』を有し、『第２の送信手段」が「暗号化手段で暗号化された』体温データを送信し、かつ、『サーバ』の『体温受信手段』が、第２の送信手段によって送信された『暗号化された』体温データを受信し、『分析手段』が、前記体温受信手段によって受信した『暗号化された体温データを復号し、復号された』体温データを分析するものであり、
　『暗号化された体温データを複製する複製手段』と『分析結果送信手段で分析データを送信後、前記分析データを削除する削除手段』を更に有しているのに対して、
　刊行物２記載の発明においては、体温データの分析を行うタイミングとして、「医院のＰＣのプログラムが、医師によって適宜に走らされた」場合に、「分析手段」が、「前記体温受信手段によって受信した体温データを分析する」ものであって、「サーバ」が、「所定の時刻になったかどうかを判断する判断手段」及び「判断手段で、所定の時刻になったことが判断された場合」に「分析手段」が分析を行う構成について記載されておらず、かつ、「体温計端末」が、「受信手段によって受信された体温データを暗号化する暗号化手段」を有し、「第２の送信手段」が「暗号化手段で暗号化された」体温データを送信し、かつ、「サーバ」の「体温受信手段」が、第２の送信手段によって送信された「暗号化された」体温データを受信し、「分析手段」が、前記体温受信手段によって受信した「暗号化された体温データを復号し、復号された」体温データを分析することが記載されておらず、
　暗号化された体温データを「複製」することや分析結果送信手段で分析データを送信後、前記分析データを「削除」することについても記載されていない点。 
　
　上記（相違点５）について検討する。 
　まず、コンピュータ・ソフトウエア関連技術において、自動化・省力化を目的として、設定された所定の時刻になったかどうかを判断する手段によって所定の時刻になったことが判断された時に、必要なプログラムを自動的に実行させて種々の処理・サービスを自動的に行うことは、本件出願前に慣用されている技術にすぎない。 
　
　そして、刊行物２記載の発明において、自動化・省力化を考慮して、医師により医院のＰＣのプログラムが適宜走らされる構成に変えて、コンピュータ・ソフトウエア関連技術における上記の本件出願前に慣用されている技術に基づき、医院のＰＣにおいて、所定の時刻に自動的にプログラムの実行を行うようにし、『サーバ』が『所定の時刻になったかどうかを判断する判断手段』と『前記判断手段で、所定の時刻になったことが判断された場合、前記体温受信手段によって受信した体温データを分析する分析手段』を備えた構成とするとともに、管理される体温データの保護・秘匿性を考慮して、上記の本件出願前に周知の保護・秘匿性が求められるデータの取り扱いに関する１）〜３）の技術に基づき、『体温計端末』が『サーバ』に暗号化された体温データを送信し、『サーバ』が暗号化された体温データを受信・記憶し、体温データの分析をする際、記憶した暗号化された体温データを復号し、復号された体温データの分析を行う構成とし、『体温計端末』が『受信手段によって受信された体温データを暗号化する暗号化手段』を有し、『第２の送信手段』が『暗号化手段で暗号化された体温データを送信』し、かつ、『サーバ』の『体温受信手段』が、第２の送信手段によって送信された『暗号化された』体温データを受信し、『分析手段』が『前記判断手段で、所定の時刻になったことが判断された場合』、前記体温受信手段によって受信した『前記暗号化された体温データを復号し、復号された』体温データを分析する構成とする程度のことは当業者であれば容易に想到し得ることであり、その際、『暗号化された体温データを複製する複製手段』と『分析結果送信手段で分析データを送信後、前記分析データを削除する削除手段』を備える点については、上記の相違点１についての検討で示した理由が当てはまる。
　
　してみると、本件発明２６は、刊行物２，３に記載された発明、上記周知技術及び上記の慣用されている技術に基いて当業者が容易に発明をすることができたものである。 
　
〔本件発明４、５、１３、１４、２１、２２について〕
　上記訂正事項ｂ及びｃ、訂正事項ｆ及びｇ、訂正事項ｊ及びｋによる訂正により、本件発明４及び５、本件発明１３及び１４、並びに、本件発明２１及び２２は、それぞれ、特許明細書の請求項２、請求項１１、及び、請求項２０に係る特許のみを引用することとなった。ところで、上記請求項２、請求項１１、及び、請求項２０に係る特許は、本件特許異議申立の対象とはされておらず、これを取り消すべきとする理由及び証拠も提出されていない。
　そうすると、上記請求項２、請求項１１、及び、請求項２０に係る特許の発明特定事項を更に限定したものであり、これらに従属する本件発明４及び５、本件発明１３及び１４、本件発明２１及び２２が、本件特許異議申立において提出された理由及び証拠によっては取り消すことができないことは明らかである。
　そして、上記の事情にかんがみると、本件発明４及び５、本件発明１３及び１４、本件発明２１及び２２については、特許異議申立人が申し立てていない取消理由については審理をしない。
　
４．むすび 
　以上のとおり、請求項１，３，８，９，１０，１２，１７，１８，１９，２３，２６，２７に係る発明は、刊行物１乃至４に記載された発明、上記周知技術及び上記の慣用されている技術に基いて当業者が容易に発明をすることができたものであるから、上記請求項に係る発明の特許は特許法第２９条第２項の規定に違反してされたものであり、平成１５年改正前の特許法第１１３条第２号に該当し、取り消されるべきものである。
　また、同請求項４，５，１３，１４，２１，２２に係る発明の特許については、本件特許異議申立において提出された理由及び証拠によっては取り消すことができない。
　よって、結論のとおり決定する。
【異議決定日】
平成１７年５月９日（２００５．５．９）
【訂正の要旨】
審決（決定）の【理由】欄参照。
（５４）【発明の名称】
体温管理方法及び装置、記憶媒体、体温管理システム
（５７）【特許請求の範囲】
　【請求項１】体温データの分析を指示する指示工程と、
　該指示工程により分析の指示がなされた場合、暗号化された体温データを取得する体温データ取得工程と、
　前記取得工程より取得した前記暗号化された体温データを記憶する体温データ記憶工程と、
　前記暗号化された体温データを複製する複製工程と、
　前記記憶工程で記憶した前記暗号化された体温データを復号し、復号された体温データをもとに体温データを分析する体温データ分析工程と、
　前記分析工程より分析された分析データを外部へ送信する分析データ送信工程と、
　前記送信工程で分析データを送信後、前記分析データを削除する削除工程とを有することを特徴とする体温管理方法。
　【請求項２】体温データを取得する体温データ取得工程と、
　前記取得工程より取得した前記体温データを記憶する体温データ記憶工程と、
　前記記憶工程で記憶した前記体温データをもとに体温データを分析する体温データ分析工程と、
　前記分析工程より分析された分析データを外部へ送信する分析データ送信工程と、
　前記体温データ分析工程で分析された分析結果に応じて、病院のリストを提示する提示工程と
を有することを特徴とする体温管理方法。
　【請求項３】前記体温データとは基礎体温データであることを特徴とする請求項１または２に記載の体温管理方法。
　【請求項４】前記体温データ取得工程により取得されたデータは暗号化されたデータであることを特徴とする請求項２に記載の体温管理方法。
　【請求項５】前記体温データ分析工程は、前記体温データを復号する復号工程を更に有することを特徴とする請求項２に記載の体温管理方法。
　【請求項６】前記提示工程により提示された病院リストの中から任意の病院が予約された場合、予約数をカウントするカウント工程と、
　前記カウント数に応じて、予約者にキャッシュバックを行なうキャッシュバック工程を有する請求項２に記載の体温管理方法。
　【請求項７】前記分析データ送信工程は、前記提示工程により提示された病院のリストの中から選択された病院に分析データを送信する第２の送信工程を有し、
　更に、前記病院で前記体温データをもとに診断された結果を取得する取得工程と、
を有する請求項２に記載の体温管理方法。
　【請求項８】前記分析データ送信工程によって送信された分析データの送信先は、少なくともパーソナルコンピュータ、携帯電話、携帯端末のいずれかであることを特徴とする請求項１または２に記載の体温管理方法。
　【請求項９】体温データの分析を指示する指示手段と、
　該指示手段により分析の指示がなされた場合、暗号化された体温データを取得する体温データ取得手段と、
　前記取得手段より取得した前記暗号化された体温データを記憶する体温データ記憶手段と、
　前記記憶手段に記憶した前記暗号化された体温データを複製する複製手段と、
　前記記憶手段に記憶した前記暗号化された体温データを復号し、復号された体温データをもとに体温データを分析する体温データ分析手段と、
　前記分析手段より分析された分析データを外部へ送信する分析データ送信手段と、
　前記送信手段で分析データを送信後、前記分析データを削除する削除手段とを有することを特徴とする体温管理装置。
　【請求項１０】暗号化された体温データを取得する体温データ取得手段と、
　前記取得手段より取得した前記暗号化された体温データを記憶する体温データ記憶手段と、
　前記記憶手段に記憶した前記暗号化された体温データを複製する複製手段と、
　前記記憶手段に記憶した前記暗号化された体温データを復号し、復号された体温データをもとに体温データを分析する体温データ分析手段と、
　前記分析手段より分析された分析データを外部へ送信する分析データ送信手段と、
　前記送信手段で分析データを送信後、前記分析データを削除する削除手段と、
　前記分析データ送信手段により送信される分析データの送信先として、予め設定されている送信先以外に、更に任意に送信先を設定する送信先設定手段と
有することを特徴とする体温管理装置。
　【請求項１１】体温データを取得する体温データ取得手段と、
　前記取得手段より取得した前記体温データを記憶する体温データ記憶手段と、
　前記記憶手段に記憶した前記体温データをもとに体温データを分析する体温データ分析手段と、
　前記分析手段より分析された分析データを外部へ送信する分析データ送信手段と、
　前記体温データ分析手段で分析された分析結果に応じて、病院のリストを提示する提示手段と
を有することを特徴とする体温管理装置。
　【請求項１２】前記体温データとは基礎体温データであることを特徴とする請求項９乃至１１の何れかに記載の体温管理装置。
　【請求項１３】前記体温データ取得手段により取得されたデータは暗号化されたデータであることを特徴とする請求項１１に記載の体温管理装置。
　【請求項１４】前記体温データ分析手段は、前記体温データを復号する復号手段を更に有することを特徴とする請求項１１に記載の体温管理装置。
　【請求項１５】前記提示手段により提示された病院リストの中から任意の病院が予約された場合、予約数をカウントするカウント手段と、
　前記カウント数に応じて、予約者にキャッシュバックを行なうキャッシュバック手段を有する請求項１１に記載の体温管理装置。
　【請求項１６】前記分析データ送信手段は、前記提示手段により提示された病院のリストの中から選択された病院に分析データを送信する第２の送信手段を有し、
　更に、前記病院で前記体温データをもとに診断された結果を取得する取得手段と、
を有する請求項１１に記載の体温管理装置。
　【請求項１７】前記分析データ送信手段によって送信された分析データの送信先は、少なくともパーソナルコンピュータ、携帯電話、携帯端末のいずれかであることを特徴とする請求項９乃至１１の何れかに記載の体温管理装置。
　【請求項１８】体温データの分析を指示する指示工程のプログラムコードと、
　該指示工程により分析の指示がなされた場合、暗号化された体温データを取得する体温データ取得工程のプログラムコードと、
　前記取得工程より取得した前記暗号化された体温データを記憶する体温データ記憶工程のプログラムコードと、
　前記暗号化された体温データを複製する複製工程のプログラムコードと、
　前記記憶工程で記憶した前記暗号化された体温データを復号し、復号された体温データをもとに体温データを分析する体温データ分析工程のプログラムコードと、
　前記分析工程より分析された分析データを外部へ送信する分析データ送信工程のプログラムコードと、
　前記送信工程で分析データを送信後、前記分析データを削除する削除工程のプログラムコードと
を有することを特徴とする記憶媒体。
　【請求項１９】暗号化された体温データを取得する体温データ取得工程のプログラムコードと、
　前記取得工程より取得した前記暗号化された体温データを記憶する体温データ記憶工程のプログラムコードと、
　前記暗号化された体温データを複製する複製工程のプログラムコードと、
　前記記憶工程で記憶した前記暗号化された体温データを復号して、復号された体温データをもとに体温データを分析する体温データ分析工程のプログラムコードと、
　前記分析工程より分析された分析データを外部へ送信する分析データ送信工程のプログラムコードと、
　前記送信工程で分析データを送信後、前記分析データを削除する削除工程のプログラムコードと
を有し、
　前記分析データ送信工程により送信される分析データの送信先として、予め設定されている送信先以外に、更に任意に送信先を設定する送信先設定工程のプログラムコードを更に有することを特徴とする記憶媒体。
　【請求項２０】体温データを取得する体温データ取得工程のプログラムコードと、
　前記取得工程より取得した前記体温データを記憶する体温データ記憶工程のプログラムコードと、
　前記記憶工程で記憶した前記体温データをもとに体温データを分析する体温データ分析工程のプログラムコードと、
　前記分析工程より分析された分析データを外部へ送信する分析データ送信工程のプログラムコードと、
　前記体温データ分析工程で分析された分析結果に応じて、病院のリストを提示する提示工程のプログラムコードを有することを特徴とする記憶媒体。
　【請求項２１】前記体温データ取得工程により取得されたデータは暗号化されたデータであることを特徴とする請求項２０に記載の記憶媒体。
　【請求項２２】前記体温データ分析工程は、前記体温データを復号する復号工程を更に有することを特徴とする請求項２０に記載の記憶媒体。
　【請求項２３】前記分析データ送信工程によって送信された分析データの送信先は、少なくともパーソナルコンピュータ、携帯電話、携帯端末のいずれかであることを特徴とする請求項１８乃至２０の何れかに記載の記憶媒体。
　【請求項２４】前記提示工程により提示された病院リストの中から任意の病院が予約された場合、予約数をカウントするカウント工程のプログラムコードと、
　前記カウント数に応じて、予約者にキャッシュバックを行なうキャッシュバック工程のプログラムコードを有する請求項２０に記載の体温管理方法。
　【請求項２５】前記分析データ送信工程は、前記提示工程により提示された病院のリストの中から選択された病院に分析データを送信する第２の送信工程のプログラムコードを有し、
　更に、前記病院で前記体温データをもとに診断された結果を取得する取得工程のプログラムコードとを有する請求項２０に記載の体温管理方法。
　【請求項２６】ネットワークを介してサーバと、体温データを送信する体温計端末と体温計が接続されている体温管理システムにおいて、
　前記体温計は、
　体温データを計測する計測手段と、
　前記計測手段によって計測された体温データを送信する第１の送信手段を有し、
　前記体温計端末は、
　前記第１の送信手段によって送信された体温データを受信する受信手段と、
　前記受信手段によって受信された体温データを暗号化する暗号化手段と、
　前記暗号化手段によって暗号化された体温データを送信する第２の送信手段を有し、
　前記サーバは、
　前記第２の送信手段によって送信された前記暗号化された体温データを受信する体温受信手段と、
　所定の時刻になったかどうかを判断する判断手段と、
　前記判断手段で、所定の時刻になったことが判断された場合、前記暗号化された体温データを複製する複製手段と、
　前記暗号化された体温データを復号し、復号された体温データをもとに体温データを分析する分析手段と、
　前記分析手段により分析された分析結果を外部に送信する分析結果送信手段と、
　前記分析結果送信手段で分析データを送信後、前記分析データを削除する削除手段と
を有することを特徴とする体温管理システム。
　【請求項２７】ネットワークを介してサーバと、体温データを送信する体温計端末と体温計が接続されている体温管理システムにおいて、
　前記体温計は、
　体温データを計測する計測手段と、
　前記計測手段によって計測された体温データを送信する第１の送信手段を有し、
前記体温計端末は、
　前記第１の送信手段によって送信された体温データを受信する受信手段と、
　前記受信手段によって受信された体温データを暗号化する暗号化手段と、
　前記暗号化手段で暗号化された体温データを送信する第２の送信手段を有し、
　前記サーバは、
　前記第２の送信手段によって送信された前記暗号化された体温データを受信する体温受信手段と、
　体温データの分析を指示する指示手段と、
　前記指示手段により分析の指示がなされた場合、前記暗号化された体温データを複製する複製手段と、
前記暗号化された体温データを復号し、復号された体温データを分析する分析手段と、
　前記分析手段により分析された分析結果を外部に送信する分析結果送信手段と、
　前記分析結果送信手段で分析データを送信後、前記分析データを削除する削除手段と
を有することを特徴とする体温管理システム。
【発明の詳細な説明】
　【０００１】
　【発明の属する技術分野】
　本発明は、ネットワークを用いた体温の管理・分析に関する。
　【０００２】
　【従来の技術】
　従来、基礎体温を計測する方法として安静状態でわきの下や口の中で基礎体温を計測するだけの所謂婦人体温計を用いる場合、被計測者が基礎体温計測後にグラフに書き込み排卵日、避妊期間、妊娠可能期間、生理日の予測などを被計測者の知っている知識によって煩わしい計算などを必要とする分析を行っていた。また、特開平１１−３１６１６１（婦人体温計）、特開平１１−８４０３６（排卵日を知らせる腕時計）、特開平５−２９６８５１（体温データ管理システム）、特開平９−１２２１３２などでは何らかの方法により計測された基礎体温を記憶手段や制御手段を有する端末へ伝送し被計測者が判断しなくとも端末側の制御手段により、排卵日、避妊期間、妊娠可能期間、生理日の予測などの表示や告知する方法、及びグラフ表示する方法などがあった。
　【０００３】
　【発明が解決しようとする課題】
　しかし、医学が進歩していくにつれ従来分析できる項目だけでなく、無排卵や不妊、ダイエットに効果的な時期、肌の状態など、体調の変化を分析できるようになることは明らかであるために、今後は被計測者の知識や端末に搭載されている制御手段だけでは判断しにくいことも考えられる。それらの課題は最新の情報分析によって判断できることが望ましいと考える。
　【０００４】
　上記理由に鑑みて、本発明は、基礎体温をネットワークを用いて管理することにより、被計測者のデータを最新の情報分析による判断や医学的な分析、また、基礎体温データに関連する様々なサービスを提供することを目的とする。
　【０００５】
　【課題を解決するための手段】
　上記目的を解決する為に、請求項１の発明は、体温データの分析を指示する指示工程と、該指示工程により分析の指示がなされた場合、暗号化された体温データを取得する体温データ取得工程と、前記取得工程より取得した前記暗号化された体温データを記憶する体温データ記憶工程と、前記暗号化された体温データを複製する複製工程と、前記記憶工程で記憶した前記暗号化された体温データを復号し、復号された体温データをもとに体温データを分析する体温データ分析工程と、前記分析工程より分析された分析データを外部へ送信する分析データ送信工程と、前記送信工程で分析データを送信後、前記分析データを削除する削除工程とを有することを特徴とする体温管理方法を提供する。
　【０００６】
　上記目的を解決する為に、請求項２の発明は、体温データを取得する体温データ取得工程と、前記取得工程より取得した前記体温データを記憶する体温データ記憶工程と、前記記憶工程で記憶した前記体温データをもとに体温データを分析する体温データ分析工程と、前記分析工程より分析された分析データを外部へ送信する分析データ送信工程と、前記体温データ分析工程で分析された分析結果に応じて、病院のリストを提示する提示工程とを有することを特徴とする体温管理方法を提供する。
　【０００７】
　上記目的を解決する為に、請求項９の発明は、体温データの分析を指示する指示手段と、該指示手段により分析の指示がなされた場合、暗号化された体温データを取得する体温データ取得手段と、前記取得手段より取得した前記暗号化された体温データを記憶する体温データ記憶手段と、前記記憶手段に記憶した前記暗号化された体温データを複製する複製手段と、前記記憶手段に記憶した前記暗号化された体温データを復号し、復号された体温データをもとに体温データを分析する体温データ分析手段と、前記分析手段より分析された分析データを外部へ送信する分析データ送信手段と、前記送信手段で分析データを送信後、前記分析データを削除する削除手段とを有することを特徴とする体温管理装置を提供する。
　【０００８】
　上記目的を解決する為に、請求項１０の発明は、暗号化された体温データを取得する体温データ取得手段と、前記取得手段より取得した前記暗号化された体温データを記憶する体温データ記憶手段と、前記記憶手段に記憶した前記暗号化された体温データを複製する複製手段と、前記記憶手段に記憶した前記暗号化された体温データを復号し、復号された体温データをもとに体温データを分析する体温データ分析手段と、前記分析手段より分析された分析データを外部へ送信する分析データ送信手段と、前記送信手段で分析データを送信後、前記分析データを削除する削除手段と、前記分析データ送信手段により送信される分析データの送信先として、予め設定されている送信先以外に、更に任意に送信先を設定する送信先設定手段と有することを特徴とする体温管理装置を提供する。
　【０００９】
　上記目的を解決する為に、請求項１１の発明は、体温データを取得する体温データ取得手段と、前記取得手段より取得した前記体温データを記憶する体温データ記憶手段と、前記記憶手段に記憶した前記体温データをもとに体温データを分析する体温データ分析手段と、前記分析手段より分析された分析データを外部へ送信する分析データ送信手段と、前記体温データ分析手段で分析された分析結果に応じて、病院のリストを提示する提示手段とを有することを特徴とする体温管理装置を提供する。
　【００１０】
　上記目的を解決する為に、請求項１８の発明は、体温データの分析を指示する指示工程のプログラムコードと、該指示工程により分析の指示がなされた場合、暗号化された体温データを取得する体温データ取得工程のプログラムコードと、
　前記取得工程より取得した前記暗号化された体温データを記憶する体温データ記憶工程のプログラムコードと、前記暗号化された体温データを複製する複製工程のプログラムコードと、前記記憶工程で記憶した前記暗号化された体温データを復号し、復号された体温データをもとに体温データを分析する体温データ分析工程のプログラムコードと、前記分析工程より分析された分析データを外部へ送信する分析データ送信工程のプログラムコードと、前記送信工程で分析データを送信後、前記分析データを削除する削除工程のプログラムコードとを有することを特徴とする記憶媒体を提供する。
　【００１１】
　上記目的を解決する為に、請求項１９の発明は、暗号化された体温データを取得する体温データ取得工程のプログラムコードと、前記取得工程より取得した前記暗号化された体温データを記憶する体温データ記憶工程のプログラムコードと、前記暗号化された体温データを複製する複製工程のプログラムコードと、前記記憶工程で記憶した前記暗号化された体温データを復号して、復号された体温データをもとに体温データを分析する体温データ分析工程のプログラムコードと、前記分析工程より分析された分析データを外部へ送信する分析データ送信工程のプログラムコードと、前記送信工程で分析データを送信後、前記分析データを削除する削除工程のプログラムコードとを有し、前記分析データ送信工程により送信される分析データの送信先として、予め設定されている送信先以外に、更に任意に送信先を設定する送信先設定工程のプログラムコードを更に有することを特徴とする記憶媒体を提供する。
　上記目的を解決する為に、請求項２０の発明は、体温データを取得する体温データ取得工程のプログラムコードと、前記取得工程より取得した前記体温データを記憶する体温データ記憶工程のプログラムコードと、前記記憶工程で記憶した前記体温データをもとに体温データを分析する体温データ分析工程のプログラムコードと、前記分析工程より分析された分析データを外部へ送信する分析データ送信工程のプログラムコードと、前記体温データ分析工程で分析された分析結果に応じて、病院のリストを提示する提示工程のプログラムコードを有することを特徴とする記憶媒体を提供する。
　上記目的を解決する為に、請求項２６の発明は、ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記第１の送信手段によって送信された体温データを受信する受信手段と、前記受信手段によって受信された体温データを暗号化する暗号化手段と、前記暗号化手段によって暗号化された体温データを送信する第２の送信手段を有し、前記サーバは、前記第２の送信手段によって送信された前記暗号化された体温データを受信する体温受信手段と、所定の時刻になったかどうかを判断する判断手段と、前記判断手段で、所定の時刻になったことが判断された場合、前記暗号化された体温データを複製する複製手段と、前記暗号化された体温データを復号し、復号された体温データをもとに体温データを分析する分析手段と、前記分析手段により分析された分析結果を外部に送信する分析結果送信手段と、前記分析結果送信手段で分析データを送信後、前記分析データを削除する削除手段とを有することを特徴とする体温管理システムを提供する。
　上記目的を解決する為に、請求項２７の発明は、ネットワークを介してサーバと、体温データを送信する体温計端末と体温計が接続されている体温管理システムにおいて、前記体温計は、体温データを計測する計測手段と、前記計測手段によって計測された体温データを送信する第１の送信手段を有し、前記体温計端末は、前記第１の送信手段によって送信された体温データを受信する受信手段と、前記受信手段によって受信された体温データを暗号化する暗号化手段と、前記暗号化手段で暗号化された体温データを送信する第２の送信手段を有し、前記サーバは、前記第２の送信手段によって送信された前記暗号化された体温データを受信する体温受信手段と、体温データの分析を指示する指示手段と、前記指示手段により分析の指示がなされた場合、前記暗号化された体温データを複製する複製手段と、前記暗号化された体温データを復号し、復号された体温データを分析する分析手段と、前記分析手段により分析された分析結果を外部に送信する分析結果送信手段と、前記分析結果送信手段で分析データを送信後、前記分析データを削除する削除手段とを有することを特徴とする体温管理システムを提供する。
　【００１２】
　【発明の実施の形態】
　以下に添付の図面を参照して本発明の実施の形態を説明する。
　【００１３】
　図１は、本発明の実施の形態におけるシステム構成を示す図である。１０１はサーバコンピュータを示す（以下、サーバと称する）。１０２は被計測者端末である。被計測者端末は、後述する各種サービスを被計測者が利用する際に必要となる端末で、パーソナルコンピュータ、携帯電話、携帯端末等である。１０３は病院端末である。１０４は基礎体温データを受信しサーバに送信する接続端末を示す。１０５は基礎体温計を示す。１０６は各種サービスを行う企業等外部のサーバを示す。外部サーバと各端末はインターネット等のネットワークを介してサーバとつながれ、接続端末１０４と基礎体温計１０５は無線を介して通信を行なう。
　【００１４】
　図２は、本発明の実施形態におけるサーバ１０１の装置構成を示す図である。サーバ１０１は、プログラムを読み出して実際の処理を行なうＣＰＵ２０１、あらかじめＣＰＵ２０１の制御手順を記憶したＲＯＭ２０２、処理を行なう際にＣＰＵ２０１が使用するＲＡＭ２０３、プログラムコードを供給する記憶媒体である外部記憶装置２０４、ネットワークと接続する際に使用する通信インタフェース２０５などから構成される。
　【００１５】
　図３は本発明の実施形態における基礎体温計及び接続端末の構成を示すブロック図である。本発明の実施形態における基礎体温計及び接続端末は、従来の基礎体温計測に比べより正確に計測するために、熟睡状態で基礎体温を計測するものである。また、従来煩わしいとされていた計測の手間を大幅に軽減し、計測した基礎体温データを暗号化し、電話回線を通じて、サーバによって蓄積・分析などのサービスを受けることが可能である。図３を用いて本発明の実施形態における基礎体温計及び接続端末の特徴的な仕様概略について説明する。
　【００１６】
　３００に本発明の１実施形態である基礎体温計Ａを示す。基礎体温計Ａは、被計測者の耳に直接装着することができるもので、毎日決められた時間に自動的に就寝中の基礎体温を計測することが可能である。３０１はタイマーである。３０２は赤外線センサーである。３０３は無線デバイスである。３０４はバッテリーである。３０５は制御部である。タイマー３０１は時計機能を有し、基礎体温を計測するタイミングを制御部３０５に送信する。制御部３０５は、赤外線センサー３０２に基礎体温を計測する指示をし、計測された基礎体温を赤外線センサー３０２から受け取り、無線デバイス３０３を通じて基礎体温を接続端末Ａ３１０へ送信する。各処理はバッテリー３０４により電源を供給されることにより実施される。バッテリー３０４は、従来ある体温計と同様に蛍光灯などの光によって発電するものを用いることが望ましい。
　【００１７】
　３１０に本発明の１実施形態である接続端末Ａを示す。３１１は無線デバイスである。３１２はモデムである。３１３は制御部である。３１４はメモリである。３１５は表示機である。３１６は内臓アンテナである。３１７はＩ／Ｆである。制御部３１３は、内臓アンテナ３１６により受信した基礎体温を無線デバイス３１１を介して取得し、メモリ３１４に基礎体温を格納する指示をする。メモリ３１４は、リセットボタンを押下するまで計測したデータをある程度の日数分を蓄積することができ、後でまとめてサーバに送信することができるため、サーバにアクセスするための電話料金を節約することもできる。３１５の表示機に表示される内容は後述する。Ｉ／Ｆ３１７はネットワークとのインターフェース部であり、Ｉ／Ｆ３１７を介して、有線の電話や、携帯電話等からデータをサーバに送信することができる。
　【００１８】
　また本発明の実施形態における基礎体温計の別の形態として、基礎体温計を直接耳に装着することから、無線デバイスが人体に与える影響を考慮し、装着部に無線デバイスを有するものではなく充電式にしてもよい。３４０は充電台である。充電台３４０は無線デバイス３４４を有し、被計測者が起床時に充電台Ｂへ基礎体温計Ｂを装着し、接続端末Ｂ３３０へ送信する。基礎体温計Ｂ３２０と接続端末Ｂ３３０の構成の詳細は、基礎体温計Ａ３００と接続端末Ａ３１０で説明したので省略するが、基礎体温計Ｂは無線デバイス３０３の替わりに接続端子３２５を有する。
　【００１９】
　また、基礎体温計Ａ３００と接続端末Ａ３１０、接続端末Ｂ３３０及び充電台Ｂ３４０がそれぞれ有している無線デバイスにＢｌｕｅｔｏｏｔｈを用いることにより、秘匿性があり至近距離のみの送受信を行うことが可能となり、データ漏洩を防御することができる。また、この無線デバイスを有した接続端末を用いることで、基礎体温計だけでなく、同じ無線デバイスを有する各種家電製品などの遠隔制御を行うことも可能である。
　【００２０】
　尚、本実施形態の基礎体温計は耳に装着するものであるが、従来の腋や口で計測するものや、有線で基礎体温を送信するものでもかまわない。
　【００２１】
　また、接続端末Ａ及びＢは、１台の接続端末で複数の基礎体温計を管理することができ家族や姉妹等で接続端末を共有することができる。
　【００２２】
　尚、以後本実施形態中では基礎体温計Ａ３００と接続端末Ａ３１０を用いた実施形態の説明を行なう。
　【００２３】
　以下に図５、図６を用いて、指紋センサーを用いた当該基礎体温計Ａ３００による入会手続きと基礎体温計測の手順と、サーバへの基礎体温の送信について詳細に説明する。本実施形態では、基礎体温というプライバシーの保護が必要なデータを扱うために、被計測者登録の際に指紋認識を行う。さらにネットワーク上で基礎体温のデータが漏洩することが懸念されることから、被計測者の情報の認識を指紋センサーから読み取った数値データを用いて基礎体温のデータを管理する。後述の各種サービスを受ける際、復号キーは、指紋から読み取る数値を暗号化し復号キーとするため、簡単な操作で被計測者登録・認証が行えるシステムである。更に、あらかじめ接続端末に付加されたＩＤ番号を登録することで、個人情報を外部からの侵入による漏洩から保護することができる。また、当該基礎体温計は、基礎体温をサーバ管理することでより多くの情報が得られるための基礎体温計であるが、既存の体温計と同じように体温計として利用することも可能である。その際には、被計測者登録は行わなくとも基礎体温計のみで利用することもできる。また、認証は指紋認識ではなく、従来のパスワードを用いる方法等でも構わない。
　【００２４】
　図５は指紋センサーを用いた入会手続きの手順を示す図である。図６は入会手続きのタッチパネルの表示画面を示す図である。６０１、６１１、６２１で示す表示画面は、接続端末Ａ、Ｂの表示機３１５、３３２に表示される画面である。６０２、６１２、６２２は作業手順を案内する表示部である。６０３は指紋センサーである。６０４は送信済を表示する表示部である。６０５は送信ボタンである。６０６はリセットボタンである。
　【００２５】
　以下、図５に従い入会手続きの手順を説明する。Ｓ５０１で、被計測者は、まず、サービスを受けるか否かの選択を行う。サービスを受けない被計測者は、入会手続きは行わずに従来の基礎体温計として利用することもできる。
　【００２６】
　Ｓ５０２で、被計測者が入会手続きを選択し、被計測者登録を行うために接続端末Ａ３００の指紋センサー６０３に指をあてると、指紋が検知される。指紋が検知されると制御部３１３において、指紋センサー６０３で読み取った指紋が数値化され、メモリ３１４へ蓄積される。数値化されたデータは、暗号化することにより、本システムにおける後述の各種サービスを受ける際に必要な復号キーになる。数値データがメモリ３１４に蓄積されると、表示器３１５に指紋センサー６０３による被計測者の被計測者認識が終了したことを知らせるメッセージが表示（６１２）され、同時に送信ボタンとリセットボタンが点灯する。
　【００２７】
　Ｓ５０３で、送信ボタン６０５が押下されるとＩ／Ｆ３１７が作動し、接続端末Ａがサーバ１０１と接続される。リセットボタン６０６を押下すると、認識された数値データが消去される。
　【００２８】
　Ｓ５０４で、サーバ１０１へ接続されると、リセットボタン６０６の点灯が終了し、送信ボタン６１３が点滅し始め暗号化された数値データが送信される。送信後、サーバ１０１側から数値データの登録完了通知が返信されてくる。完了通知が返信されると、あらかじめ接続端末に付加されているＩＤ番号をサーバ１０１に送信するよう、表示器６０１にメッセージが表示される（図６の６２２）。再度送信ボタン６０５が押下されると、ＩＤ番号が送信され、サーバ１０１でＩＤが認識される。
　【００２９】
　Ｓ５０５で、サーバでＩＤが確認されるとサーバによって被計測者のフォルダが作成される。手続き終了後、送信済みボタン６０４が点灯し、リセットボタン６０６が押下されると、サービスをうける準備が終了する。
　【００３０】
　図７は基礎体温を計測する手順を示す図である。Ｓ７０１で、基礎体温計Ａ３００のタイマー３０１で計測時刻を設定後、就寝時に耳に装着する。Ｓ７０２で、設定された時間に合わせて赤外線センサー３０２が作動する。Ｓ７０３で、赤外線センサー３０２により耳の鼓膜部の基礎体温を計測する。Ｓ７０４で、制御部３０５によって計測された基礎体温はデータ化され、無線デバイス３０３によって接続端末Ａ３１０に自動的に送信される。
　【００３１】
　図８は基礎体温を自動的にサーバへ送信する際の流れを示す図で、図９は基礎体温計をサーバに送信するための端末装置の表示の様子を示す図である。自動的にサーバ１０１へ送信するというのは、被計測者があらかじめセットした時刻に基礎体温を計測し、接続端末Ａ３１０からサーバへ自動的に送信することをいう。被計測者は、サーバ１０１へ送信する手間を省くことができる。そのためには、あらかじめ図９の９００で示す表示画面において、９０１のＡｕｔｏを設定しておく。図９の９００は図３の３１５に示す表示部の拡大図であり、９０３を拡大表示した部分が９１０に示されている。
　【００３２】
　図８を用いて基礎体温を自動的に送信する場合の流れを示す。Ｓ８０１で、計測された基礎体温は、図９の９００に示す接続端末Ａ３１０の表示器９０３に数値表示される。Ｓ８０２で、接続端末Ａ３１０の制御部３０５で基礎体温が暗号化される。Ｓ８０３で、送信ボタン９１４が自動的に作動し、サーバに接続される。Ｓ８０４で、暗号化された基礎体温データが復号キーと共にサーバに送信される。送信が終了すると、９１３に示す送信済みサインが点灯する。回線の不具合などにより電話回線が繋がらない場合は、リダイヤル機能によって複数回リダイヤルすることができる。また、Ｓ８０１で表示された基礎体温は、メモリ３１４に蓄積されリセットボタン９１５を押下するまで、表示されたままになっているため、送信済みサイン９１３と共に起床してから確認することができる。送信済みサインは、リセットボタン９１５を押下することで消去することができる。図１０は基礎体温をサーバへ手動で送信する際の流れを示す図である。まず、手動で送信するために、被計測者は図９の９０２に示すＭａｎｕａｌを選択する。手動送信の場合は、表示器９００の手動送信ボタン９０２が点灯している。
　【００３３】
　図１０を用いて基礎体温を手動で送信する場合の流れを説明する。Ｓ１００１で、計測された基礎体温は、図９の９００に示す接続端末Ａ３１０の表示器９０３に数値表示され、Ｓ１００２で、メモリ３１４に蓄積される。この時点ではメモリ３１４には基礎体温の生データが蓄積されており、送信ボタン９１４を押下するまで暗号化されない。メモリ３１４にはある程度の日数分蓄積することができるため、後でまとめてサーバ１０１へ送信することができ、旅行中などでも、後でまとめて送信できるので便利である。また、毎日サーバ１０１にアクセスするための電話料金を節約することもできる。このように接続端末Ａ３１０に記憶機能を持たせることで基礎体温計測の手間を大幅に減らすために有効な手段となり得る。
　【００３４】
　Ｓ１００３で、送信ボタン９１４が押下されると接続端末Ａ３１０は送信指示を認識する。Ｓ１００４で、基礎体温データの暗号化が行なわれる。Ｓ１００５で、モデム３１２を介して回線が接続される。回線が接続されている間は、送信ボタン９１４は点滅している。Ｓ１００６で、指紋を数値化した復号キーと共に暗号化した基礎体温データが送信される。Ｓ１００７でサーバ１０１への送信が終了すると、送信済みサインが点灯し、データが送信されたことを確認できる。
　【００３５】
　送信済みサインは、リセットボタン９１５を押下することで消去することができる。
　【００３６】
　尚、本実施の形態では、基礎体温を送信時に暗号化して送信するが、計測終了時に暗号化をし、暗号化したものを蓄積してもよい。
　【００３７】
　また、本実施の形態では、計測後送信しているが、リアルタイムで送信しても良い。
　【００３８】
　図４は外部記憶装置に格納されているデータを示す図である。４０１は、基礎体温計Ａから送信されてきた暗号化された基礎体温データを格納する格納領域である。４０２は、４０１の暗号化された基礎体温データのバックアップを格納する領域である。４０３は、復号された基礎体温データを格納する領域である。４０４は、グラフ分析結果の取得サービスの際に用いるグラフ分析ソフトウェアである。４０５は、健康アドバイスサービスの際に用いる健康アドバイス分析ソフトウェアである。４０６は、医師アドバイス取得サービスの際に用いる病院リストである。４０７は、ワンポイントアドバイスサービスの際に用いるワンポイントアドバイスソフトウェアである。４０８は、医師アドバイス取得サービスの際に用いる医師アドバイス制限件数カウントソフトウェアである。４０９は、医師アドバイス取得サービスの際に用い、各病院との契約時に作成される各病院のフォルダである。４１０は、医師アドバイス取得サービスの際に用いる医師伝達ソフトウェアである。４１１は、医師アドバイス取得サービスの際に用いる病院予約カウントログである。４１２は、マタニティブルー／不妊者のグルーピングサービスのためのグルーピング伝言版である。４１３は、子育てシミュレーションサービスの際に用いる子育てシミュレーションソフトウェアである。４１４は、保育園空き情報サービスの際に用いる保育園空き情報サイトに関する情報が格納されている。４１５は、グッズ紹介サービスの際に用いるグッズ紹介サイトに関する情報が格納されている。４１６は、姓名判断サービスの際に用いる姓名判断ソフトウェアである。
　【００３９】
　尚、各データについての詳細は各種サービスの説明の際に後述する。また、外部記憶装置２０４に格納されているデータは、図４に示すデータに限定されるものではなく、様々なサービスに対応するデータを格納することは可能である。
　【００４０】
（各種サービス）
　次に、本発明の基礎体温計を用いた各種サービスの説明をする。図１１は、各種サービス実施の一連の流れを示す図である。Ｓ１１０１で、サービスを希望した被計測者が被計測者端末１０２より入力した、基礎体温計に同封されているＩＤ番号を受信する。Ｓ１１０２サーバは入力された被計測者からのＩＤ番号を受け取りサービス希望者の認証を行なう。Ｓ１１０３で、図１２の１２０１に示す各種サービスの一覧を表示する。Ｓ１１０４で被計測者は各種サービスの一覧から希望するサービスを選択する。選択された場合は、Ｓ１１０５に進み被計測者が選択したサービスが実施される。サービスの実施内容は後述する。被計測者がＳ１１０４でサービスを選択せず終了を選択した場合は処理が終了する。
　【００４１】
（グラフ分析結果取得サービス）
　図１３は、グラフ分析の結果を得るサービスの流れを示す図である。まず、グラフ分析結果の取得サービスを被計測者が任意に選択する場合について説明する。Ｓ１３０１で、本サービスを受ける場合、被計測者は、図１２に示す各種サービスの一覧から１２０２に示すグラフ分析結果の取得を選択する（図１１のＳ１１０４）。Ｓ１３０２で本サービスが基礎体温データをすぐに必要とするサービスであることをサーバ側が認識する。Ｓ１３０３で、被計測者が指紋から数字変換した復号キーをサーバに送付し、復号キーの送付をサーバが認識する。復号キーの送付が認識されたら、Ｓ１３０４に進み、サーバに蓄積されている暗号化された基礎体温データの複製が作成される。Ｓ１３０５で、作成された複製の基礎体温データは送付された復号キーをもとに復号される。Ｓ１３０６で、復号された基礎体温データを取得する。
　【００４２】
　Ｓ１３０７で、認識された基礎体温データがグラフ分析ソフトに転送される。その際に、図４の４０３の領域に復号された基礎体温データが４０３に示す復号された基礎体温データの領域に残らないようにする。Ｓ１３０８で、転送された基礎体温データは分析される。Ｓ１３０９で、被計測者が事前に家族への転送サービスを登録している場合、家族への情報提供転送サービスが登録されていることがサーバで認識され、転送登録先が表示される。被計測者が事前に家族への転送サービスを登録していない場合、Ｓ１３１０に進み、グラフ分析結果が被計測者に送信される。家族への情報提供転送サービスが登録されている場合は、グラフ分析結果は被計測者に送信されると共に、登録先にも送信される。Ｓ１３１２で、外部漏洩保護を徹底する為に、復号された基礎体温データとグラフ分析結果はグラフ分析結果送信後、削除される。
　【００４３】
　図１４は家族への情報提供転送サービスの流れと登録方法を示す。Ｓ１４０１で転送登録先が被計測者端末１０２に表示される。Ｓ１４０２で、登録先変更がサーバで認識された場合、Ｓ１４０３で、被計測者端末１０２に登録先変更画面が表示され（１４１１）、Ｓ１４０４で登録先がサーバで認識される。Ｓ１４０２でサーバで登録先変更が認識されない場合、Ｓ１４０４で、サーバにおいて登録先が認識される。Ｓ１４０５で、グラフ分析結果が被計測者と登録先へ転送される。尚、登録先は、家族以外を登録しても、被計測者の所有する別の端末に登録しても構わない。
　【００４４】
　次に、被計測者によってグラフ分析ソフトサービスが選択されたのではなく、あらかじめ一定時間になったら分析結果が送信されるサービスの説明をする。Ｓ１３２０で、グラフ分析結果取得設定時間になると、サーバによって自動的に暗号化された基礎体温データの複製が作成（Ｓ１３０４）され、複製された基礎体温データが復号される（Ｓ１３０５）。ここでは設定時間は毎朝午前６時などの所定の時刻を想定しているが一旦時刻を指定し、２４時間や４８時間などの所定の間かくをおいて設定してもよい。以下は、グラフ分析結果の取得サービスを被計測者が任意に選択する場合と同様であるので省略する。グラフ分析結果が被計測者に送付されると、他サービスの取得の有無が被計測者に問われ、他サービスの取得をサーバによって認識されると、再び図１２の各種サービス一覧が表示され、認識されないと、本サービスシステムが終了する。
　【００４５】
　図１５は、各種サービスの閲覧画面の様子であり、被計測者の端末１０２に表示される画面である。１５０１は、計測された基礎体温をグラフ化したものである。１５０２は、各種サービスの分析結果をテキストで表示したイメージ図である。各種サービスの閲覧をパーソナルコンピュータで行なう場合には１５０１と１５０２で示すようにグラフとテキストで表示する。１５０３は、各種サービスの分析結果をテキストのみで表示したイメージ図である。１５０３に示すように、携帯電話等の画像を閲覧するのが難しいと考えられる端末ではテキストのみを表示しても良い。テキストの内容の例として、「排卵日は○月○日です。」や、「現在は高温期です。」等の表示が考えられる。
　【００４６】
（健康アドバイスデータ取得サービス）
　図１６は、健康アドバイスデータの取得サービスの流れを示す図である。本サービスは先述したグラフ分析データ取得サービスより更に詳しいデータを希望する場合のサービスである。Ｓ１６０１で、被計測者は、図１２に示す各種サービスの一覧から１２０３に示す健康アドバイスデータの取得を選択する。１６０２から１６０６までの流れは図１３の１３０２から１３０６までの流れと同様なので省略する。
　【００４７】
　Ｓ１６０７で、サーバ１０１は復号された基礎体温データを健康アドバイス分析ソフトへ送信する。送信後は図１の４０３に示す領域に復号された基礎体温データを残さないようにする。Ｓ１６０７で、サーバ１０１は復号された基礎体温データを健康アドバイス分析ソフトで分析する。Ｓ１６０９で、サーバ１０１は健康アドバイス分析ソフトで解析された結果から、体調に変化や異常があるかを判断する。通常は健康アドバイスデータを被計測者に送付するが（Ｓ１６１０）、分析結果により体に妊娠の兆候等の変化や異常が見られた場合は病院リスト４０６のＵＲＬを健康アドバイスデータとともに、被計測者のパーソナルコンピュータや携帯電話に送信する（Ｓ１６１１）。病院リスト４０６のＵＲＬを受信した被計測者は、後述する病院紹介サービスや、病院予約サービスを更に受けることができる。データの送信後、復号された基礎体温データと健康アドバイスデータをサーバ１０１から削除する。健康アドバイスデータが被計測者に送付されると、他サービスの取得の有無が被計測者に問われ、他サービスの取得をサーバによって認識されると、再び図１２の各種サービス一覧が表示され、認識されないと、本サービスシステムが終了する。
　【００４８】
（ワンポイントアドバイスサービス）
　図１７はワンポイントアドバイスソフトウェアによって簡単なワンポイントアドバイスデータを取得する方法を示した図である。Ｓ１７０１でサーバは、図１２に示す各種サービスの一覧を表示する。被計測者が各種サービスの一覧から１２０４に示すワンポイントアドバイスの取得を選択すると、Ｓ１７０２でサーバはワンポイントサービスが選択されたことを認識する。Ｓ１７０３でサーバは、本サービスが基礎体温データをすぐに必要としないサービスであることを認識する。
　【００４９】
　Ｓ１７０４で、被計測者が、基礎体温データを既に取得しているかをチェックし、取得していればＳ１７０９で、被計測者からグラフ分析結果を受信し、Ｓ１７０６へ進む。取得していなければ図１３に示すグラフ分析結果取得サービスに移り、グラフ分析結果を取得してからＳ１７０６へ進む。Ｓ１７０６で、予め用意されている質問事項が選択されているのが認識されたら、Ｓ１７０７でワンポイントアドバイスソフトウェアが起動する。本ソフトウェアは予めサンプルのグラフが複数用意されており、それらと比較することにより、被計測者の質問に関連した分野のグラフの状態を判断するものである。Ｓ１７０８で、ワンポイントアドバイスソフトウェアの結果が被計測者に送信される。被計測者に送信されたら、ワンポイントアドバイスはサーバから削除される。Ｓ１７１０で他サービスの実施が認識されれば他サービスに移り、認識されなければ終了する。
　【００５０】
（医師アドバイスサービス）
　図１８は、医師アドバイスサービスの流れを示すフローチャートである。図１９は医師アドバイスサービスの表示画面である。図２０は医師アドバイスサービスの病院への伝達の様子を示す図である。医師アドバイスサービスは、直接医師のもとに出向かなくとも、医師の基礎体温閲覧を可能にすることにより、的確な医師アドバイスを取得することが可能なサービスである。図１８を用いて、医師アドバイスサービスのサーバの動作の流れを示す。
　【００５１】
　Ｓ１８０１で、サーバは各種サービスの一覧表示の指示をし、被計測者は各種サービス一覧の中から１２０５に示す医師アドバイス取得サービスを選択する。Ｓ１８０２で、医師アドバイスサービスを被計測者が選択したことを示す情報を受信し、医師アドバイスサービスを被計測者が選択したことを認識する。Ｓ１８０３で基礎体温データをすぐに必要としないサービスであることを認識する。Ｓ１８０４で、登録されている病院の中から被計測者が選択した病院を認識する。病院の選択は、後述する病院紹介サービスの病院リストから選択してもいいし、予めかかりつけの病院が選択されるようにしてもいい。Ｓ１８０５で、予め病院側によって登録された制限件数を超えていないかをチェックする。各病院が対応できる件数には制限があるので、医師による個々のアドバイスをより的確になおかつ迅速に行なうためには、各病院の対応可能件数を管理する必要がある。制限件数を超えている場合は病院の決定をしなおす。制限件数を超えていない場合、Ｓ１８０５で、図１９に示すように、被計測者に基礎体温データを公開の是非と、復号キーを病院側に送信の是非の確認をとる（１９０１，１９０２）。そして、被計測者は１９０３に示すように復号キーを入力し、１９０４に示すように復号キーを送信する指示をすることにより送信する。送信の承諾を得られない場合、処理は終了となる（Ｓ１８１１）。
　【００５２】
　Ｓ１８０７で、被計測者に対して医師への質問事項があるかの確認を行なう。Ｓ１８０８で、復号キー、質問事項が契約時に作成されたサーバ内にある該当病院のフォルダ４０９へ送信される。すると、本サービスの依頼があったことをサーバ内にある医師伝達ソフト４１０が認知し、図２０に示すように▲１▼電話による音声通知（２００１）、▲２▼メールによる通知／メール読み上げ（２００２）、▲３▼ＦＡＸ（２００３）のいずれかによって医師に伝達される。医師は本サービスの依頼があったことを認識すると、契約時に与えられた病院のＩＤ番号（２００４）を入力することで、自分の病院のフォルダ４０９を閲覧することが可能になり、被計測者の復号キー及び質問事項を認識することができる（２００５）。
　【００５３】
　Ｓ１８０９で、認識された復号キーを病院側が入力し、個人認証がなされるとサーバに蓄積されている暗号化された基礎体温データのバックアップが作成され、バックアップのデータが病院のフォルダに転送され、復号キーにより復号される。復号された基礎体温データと質問事項を閲覧することにより、医師は診断を行い医師アドバイスデータを作成する。Ｓ１８１０で、サーバは医師アドバイスを受信する。Ｓ１８１１で、受信した医師アドバイスを被計測者へ送信する。外部漏洩保護を徹底する為に、医師アドバイスデータと復号された基礎体温データは、被計測者に送信後はサーバに残らないようにする。
　【００５４】
　尚、本実施形態では病院の決定を被計測者が行なうものとしたが、あらかじめ被計測者に、希望する病院の条件を登録してもらうことにより、その条件に合った病院を病院リストの中からサーバが決定しても構わない。
　【００５５】
　また、本実施の形態では、基礎体温データはサーバ内の病院フォルダで閲覧する方式であるが、病院の端末に送信されて、そこで医師が閲覧してもよい。
　【００５６】
　また、基礎体温データだけでなく、グラフ分析結果取得サービス等で得られたデータを医師が閲覧できるようにしても良い。
　【００５７】
（病院紹介サービス）
　図２１は病院紹介（病院リスト閲覧）サービスの流れを示すフローチャートである。Ｓ２１０１でサーバは図１２の各種サービスの一覧を表示する指示をする。被計測者は各種サービスの一覧表示の中から１２０６に示す病院紹介サービスを選択する。Ｓ２１０２で、病院紹介サービスが被計測者により選択されたことを認識する。Ｓ２１０３で、本サービスが基礎体温データをすぐに必要としないサービスであることを認識する。すると図２３の２３０１、２３０２に示す地域を限定する画面を表示し、Ｓ２１０４で該当地域の病院リスト（４０６、２３０３）を表示する。Ｓ２１０５で図２３の２３０４に示す病院予約画面を表示する。
　【００５８】
　尚、病院リストは病院単位でリスト表示されていても、医師個人としてリスト表示されていても構わない。
　【００５９】
（病院予約サービス）
　図２２は病院予約サービス取得の流れを示すフローチャートである。被計測者によって図１２の各種サービスの一覧から病院予約サービスが選択される（図１２の１２０７）か、もしくは先述した健康アドバイスデータ取得サービスや病院紹介サービスを経ることにより病院リストが表示される。病院リスト画面４０６から病院予約選択がサーバで認識されると（Ｓ２２０１）、サーバの予約カウントログ４１１が予約数をカウントする（Ｓ２２０２）。予約数に応じて被計測者に、サービス料金のキャッシュバックを毎月の基本料金引き落とし時に行い（Ｓ２２０３）、病院からは紹介料金を一ヶ月毎にまとめて徴収（Ｓ２２０４）する。
　【００６０】
（マタニティブルー／不妊者へのグルーピングサービス）
　図２４はマタニティブルー／不妊者へのグルーピングサービスの流れを示すフローチャートである。Ｓ２４０１でサーバは、図１２に示す各種サービスの一覧を表示する。被計測者がマタニティブルー／不妊者へのグルーピングサービスを選択する（図１２の１２０８）と、Ｓ２４０２でサーバはマタニティブルー／不妊者へのグルーピングサービスが選択されたことを認識する。Ｓ２４０３でサーバは、本サービスが基礎体温データをすぐに必要としないサービスであることを認識する。Ｓ２４０４で、サーバは各々のグループへの伝言版の提供を行なう。
　【００６１】
（子育てシミュレーションサービス）
　図２５は子育てシミュレーションサービスの流れを示すフローチャートである。Ｓ２５０１でサーバは、図１２に示す各種サービスの一覧を表示する。被計測者が子育てシミュレーションサービスを選択する（図１２の１２０９）と、Ｓ２５０２でサーバは子育てシミュレーションサービスが選択されたことを認識する。Ｓ２５０３でサーバは、本サービスが基礎体温データをすぐに必要としないサービスであることを認識する。Ｓ２５０４で、サーバは子育てシミュレーションソフトウェアを起動する。
　【００６２】
（保育園空き情報サービス）
　図２６は保育園空き情報サービスの流れを示すフローチャートである。Ｓ２６０１でサーバは、図１２に示す各種サービスの一覧を表示する。被計測者が子育てシミュレーションサービスを選択する（図１２の１２１１）と、Ｓ２６０２でサーバは保育園空き情報サービスが選択されたことを認識する。Ｓ２６０３でサーバは、本サービスが基礎体温データをすぐに必要としないサービスであることを認識する。Ｓ２６０４で、サーバは保育園空き情報サイトを提示する。Ｓ２６０５で被計測者が希望する保育園が選択された場合はＳ２６０７で被計測者が希望する保育園の情報を提示し、なければ終了する（Ｓ２６０６）。
　【００６３】
（グッズ紹介サービス）
　図２７はグッズ紹介サービスの流れを示すフローチャートである。Ｓ２７０１でサーバは、図１２に示す各種サービスの一覧を表示する。被計測者がグッズ紹介サービスを選択すると（図１２の１２１２）、Ｓ２７０２でサーバはグッズ紹介サービスが選択されたことを認識する。Ｓ２７０３でサーバは、本サービスが基礎体温データをすぐに必要としないサービスであることを認識する。Ｓ２７０４で、サーバはグッズ紹介のサイトを表示する。
　【００６４】
（姓名判断サービス）
　図２８は姓名判断サービスの流れを示すフローチャートである。Ｓ２８０１でサーバは、図１２に示す各種サービスの一覧を表示する。被計測者が姓名判断サービスを選択すると、Ｓ２８０２でサーバは姓名判断サービスが選択（図１２の１２１３）されたことを認識する。Ｓ２８０３でサーバは、本サービスが基礎体温データをすぐに必要としないサービスであることを認識する。Ｓ２８０４で、サーバは姓名判断ソフトを起動する。
　【００６５】
　このように、当システムは、基礎体温データのデータ分析だけにとどまらず、健康アドバイス分析ソフトを介した詳細な健康データの取得、データ比較を行なうことによるワンポイントアドバイスの取得、病院と提携をし、より効果的な健康管理の実現の達成を目的とした病院情報の提供・予約のシステム化・基礎体温データの送付による医師アドバイスの取得を提供することが可能である。
　【００６６】
　また、その他に不妊者や妊婦同士のコミュニケーションを目的とし仲間同士でグループを作ることができる被計測者グルーピングシステム、出産後保育園に預けたいと考えている人のために保育園の空き状況や予約などが行える保育園空き情報システム、グッズ紹介、姓名判断システム、子育てシミュレーションシステム、家族への情報転送システムなどを有し、基礎体温に関わるトータル的なサービスを提供することが可能である。
　【００６７】
　尚、基礎体温データを必要としないサービスは被計測者のみならず誰でも利用できるサービスにしても構わない。
　【００６８】
　また、基礎体温に限定せず、体温でも構わない。
　【００６９】
　また、生理日を記録する手段を設けて基礎体温と共に管理してもよい。
　【００７０】
　また、基礎体温データを使用するサービスの場合、基礎体温データの分析に用いる期間は、初期状態では現時点から遡って二ケ月分の基礎体温データを使用するが、各種サービスに応じて入会後すべてのデータを使用してもよいし、被計測者或は医師が現時点から遡って使用する期間を指定してもよい。
　【００７１】
　また、各種サービスが終了すると、図１２に示す各種サービス一覧が表示されるが、サービスによる結果や、被計測者に応じたサービスメニューを表示するようにしても良い。
　【００７２】
　上記実施形態においては、プログラムをＲＯＭに保持する場合について説明したが、これに限定されるものではなく、任意の記憶媒体を用いて実現してもよい。また、同様の動作をする回路で実現してもよい。
　【００７３】
　なお、本発明は、複数のサーバから構成されるシステムに適用しても、１つのサーバからなる装置に適用してもよい。前述した実施形態の機能を実現するソフトウエアのプログラムコードを記録した記録媒体を、システム或いは装置に供給し、そのシステム或いは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
　【００７４】
　プログラムコードを供給するための記録媒体としては、例えば、フロッピーディスク、ハードディスク、光ディスク、光磁気ディスク、ＣＤーＲＯＭ、ＣＤーＲ、磁気テープ、不揮発性のメモリカード、ＲＯＭなどを用いることができる。
　【００７５】
　また、コンピュータが読み出したプログラムコードを実行することにより、前述した実施形態の機能が実現されるだけでなく、そのプログラムコードの指示に基づき、コンピュータ上で稼働しているＯＳなどが実際の処理の一部または全部を行ない、その処理によって前述した実施形態の機能が実現される場合も含まれることは言うまでもない。
　【００７６】
　更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によって前述した実施形態の機能が実現される場合も含まれることは言うまでもない。
　【００７７】
　【発明の効果】
　以上説明したように、本発明によれば、携帯電話やインターネットの情報通信網を用いて、体温データをサーバで管理、分析を行うことができる。また、それにより、最新の情報分析による判断や分析、基礎体温データに関連する様々なサービスの提供をネットワーク上で提供することが可能である。
【図面の簡単な説明】
　【図１】
　本発明の実施形態におけるシステム構成の図である。
　【図２】
　サーバのシステム構成を示すブロック図である。
　【図３】
　本発明の実施例における基礎体温計及び接続端末の構成を示すブロック図である。
　【図４】
　本発明の実施例における外部記憶装置に格納されているデータを示す図である。
　【図５】
　指紋センサーを用いた入会手続き流れを示す図である。
　【図６】
　入会手続きの表示の様子を示す図である。
　【図７】
　基礎体温を計測する流れを示すフローチャートである。
　【図８】
　基礎体温をサーバへ自動的に送信する際の流れを示すフローチャートである。
　【図９】
　基礎体温計をサーバに送信するための端末装置の表示の様子を示す図である。
　【図１０】
　基礎体温をサーバへ手動で送信する際の流れを示すフローチャートである。
　【図１１】
　本発明の実施の形態における各種サービスの流れを示すフローチャートである。
　【図１２】
　サービスの一覧を示す図である。
　【図１３】
　基礎体温のグラフ分析結果を取得する流れを示す図である。
　【図１４】
　家族への転送サービスの流れと方法を示す図である。
　【図１５】
　各種サービスの閲覧画面の概念図である。
　【図１６】
　健康アドバイスデータの取得サービスの流れを示すフローチャートである。
　【図１７】
　ワンポイントアドバイスデータ取得サービスの流れを示すフローチャートである。
　【図１８】
　医師アドバイスサービスの流れを示すフローチャートである。
　【図１９】
　医師アドバイスサービスの表示画面である。
　【図２０】
　医師アドバイスサービスの病院への伝達の様子を示す図である。
　【図２１】
　病院紹介サービスの流れを示すフローチャートである。
　【図２２】
　病院予約サービスの流れを示すフローチャートである。
　【図２３】
　病院リストを示す図である。
　【図２４】
　マタニティブルー／不妊者へのグルーピングサービスの流れを示すフローチャートである。
　【図２５】
　子育てシミュレーションの流れを示す図である。
　【図２６】
　保育園空き情報サービスの流れを示す図である。
　【図２７】
　グッズ紹介サービスの流れを示す図である。
　【図２８】
　姓名判断サービスの流れを示す図である。
　【符号の説明】
　２０１　ＣＰＵ
　２０２　ＲＯＭ
　２０３　ＲＡＭ
　２０４　外部記憶装置
　２０５　ネットワークインターフェイス
　３００　基礎体温計Ａ
　３０１　タイマー
　３０２　赤外線センサー
　３０３　無線デバイス
　３０４　バッテリー
　３０５　制御部
　３１０　接続端末Ａ
　３１１　無線デバイス
　３１２　モデム
　３１３　制御部
　３１４　メモリ
　３１５　表示器
　３１６　内蔵アンテナ
　３１７　Ｉ／Ｆ
　３２０　基礎体温計Ｂ
　３２１　タイマー
　３２２　制御部
　３２３　赤外線センサー
　３２４　バッテリー
　３２５　接続端子
　３３０　接続端末Ｂ
　３３１　無線デバイス
　３３２　表示器
　３３３　制御部
　３３４　メモリ
　３３５　モデム
　３３６　内蔵アンテナ
　３３７　Ｉ／Ｆ
　３４０　充電台
　３４１　電源部
　３４２　接続端子
　３４３　メモリ
　３４４　無線デバイス